(57)【要約】【課題】ＣＡＮ通信路への誤接続を判定する。【解決手段】プローブＰＬａ，ＰＬｂのうちの一方を介して被覆導線Ｌａ，Ｌｂのうちの一方に接続されて、この一方の被覆導線の電圧に応じて電圧が変化する第１電圧信号Ｖｄ１を出力する第１検出部１３と、他方の被覆導線に接続されてこの被覆導線の電圧に応じて電圧が変化する第２電圧信号Ｖｄ２を出力する第２検出部１４と、電圧信号Ｖｄ１，Ｖｄ２の差分電圧に基づいて符号特定用信号Ｓｆを生成する信号生成部１５と、予め規定された計測期間において、電圧信号Ｖｄ２における高電位についての最長連続期間長および低電位についての最長連続期間長を計測すると共に２つの最長連続期間長の長短関係を特定し、特定した長短関係と基準長短関係とを比較することにより、各プローブＰＬａ，ＰＬｂがそれぞれ接続されるべき被覆導線Ｌａ，Ｌｂに接続されているかを判別する処理部１６とを備えている。【選択図】図２
2020025256.tif 000002
【特許請求の範囲】
【請求項１】
通信路を構成する一対の信号線に一対のプローブを介して接続されて、当該通信路を介して伝送されるロジック信号に基づき、当該ロジック信号に対応する符号を特定可能な符号特定用信号を生成する信号生成装置であって、
前記一対のプローブのうちの一方のプローブを介して前記一対の信号線のうちの一方の信号線に接続されて、当該一方の信号線に伝送されている電圧に応じて電圧が変化する第１電圧信号を出力する第１検出部と、
前記一対のプローブのうちの他方のプローブを介して前記一対の信号線のうちの他方の信号線に接続されて、当該他方の信号線に伝送されている電圧に応じて電圧が変化する第２電圧信号を出力する第２検出部と、
前記第１電圧信号および前記第２電圧信号の差分電圧に基づいて前記符号特定用信号を生成する信号生成部と、
予め規定された計測期間において、前記第１電圧信号および前記第２電圧信号のうちの一方の電圧信号における高電位についての最長連続期間長および低電位についての最長連続期間長を計測する計測処理と、
２つの前記最長連続期間長の長短関係を特定する長短特定処理と、
当該長短特定処理で特定した前記長短関係、および前記一対のプローブがそれぞれ接続されるべき前記一対の信号線に接続されているときに前記長短特定処理において特定される前記長短関係である基準長短関係を比較して、前記一対のプローブがそれぞれ接続されるべき前記一対の信号線に接続されているか否かを判別する判別処理とを実行する処理部を備えている信号生成装置。
【請求項２】
通信路を構成する一対の信号線に一対のプローブを介して接続されて、当該通信路を介して伝送されるロジック信号に基づき、当該ロジック信号に対応する符号を特定可能な符号特定用信号を生成する信号生成装置であって、
前記一対のプローブのうちの一方のプローブを介して前記一対の信号線のうちの一方の信号線に接続されて、当該一方の信号線に伝送されている電圧に応じて電圧が変化する第１電圧信号を出力する第１検出部と、
前記一対のプローブのうちの他方のプローブを介して前記一対の信号線のうちの他方の信号線に接続されて、当該他方の信号線に伝送されている電圧に応じて電圧が変化する第２電圧信号を出力する第２検出部と、
前記第１電圧信号および前記第２電圧信号の差分電圧に基づいて前記符号特定用信号を生成する信号生成部と、
生成された前記符号特定用信号に基づいて前記符号および当該符号の複数個で構成される符号列を特定する符号特定処理と、
前記符号特定処理における前記符号列の特定状態に基づいて、前記一対のプローブがそれぞれ接続されるべき前記一対の信号線に接続されているか否かを判別する判別処理とを実行する処理部を備えている信号生成装置。
【請求項３】
前記第１検出部および前記第２検出部と前記信号生成部との間に配設されて、当該第１検出部から出力される前記第１電圧信号および前記第２検出部から出力される前記第２電圧信号を前記差分電圧の極性が反転するように切り替えて前記信号生成部に出力可能に構成された信号切替部を備えている請求項１または２記載の信号生成装置。
【請求項４】
前記処理部は、前記判別処理において前記一対のプローブがそれぞれ接続されるべき前記一対の信号線に接続されていないと判別したときには、前記信号切替部に対して前記第１電圧信号および前記第２電圧信号の切り替えを実行させる請求項３記載の信号生成装置。
【請求項５】
表示装置を備え、
前記処理部は、前記判別処理での前記判別の結果を前記表示装置に表示させる請求項１から４のいずれかに記載の信号生成装置。
【請求項６】
前記一対の信号線は、ＣＡＮ通信用のシリアルバスを構成する高電位側信号線および低電位側信号線であり、
前記第１検出部に対応する第１表示器、および前記第２検出部に対応する第２表示器を有する表示装置を備え、
前記処理部は、前記判別処理での前記判別の結果に基づいて、前記第１検出部に対応する前記一方のプローブおよび前記第２検出部に対応する前記他方のプローブの各々が前記高電位側信号線および前記低電位側信号線のうちのいずれの信号線に接続されているかを判別すると共に、前記一方のプローブが接続されていると判別された前記信号線を示す情報を前記第１表示器に表示させると共に、前記他方のプローブが接続されていると判別された前記信号線を示す情報を前記第２表示器に表示させる請求項１から４のいずれかに記載の信号生成装置。
【請求項７】
通信路を構成する一対の信号線に一対の電流検出プローブを介して接続されて、当該通信路を介して伝送されるロジック信号に基づき、当該ロジック信号に対応する符号を特定可能な符号特定用信号を生成する信号生成装置であって、
前記一対の信号線のうちの一方の信号線に接続される前記一対の電流検出プローブのうちの一方の電流検出プローブから出力される電圧信号であって、当該一方の信号線に伝送されている電圧に起因して当該一方の信号線に流れる電流の電流値に応じて電圧値が変化する第１電圧信号、および前記一対の信号線のうちの他方の信号線に接続される前記一対の電流検出プローブのうちの他方の電流検出プローブから出力される電圧信号であって、当該他方の信号線に伝送されている電圧に起因して当該他方の信号線に流れる電流の電流値に応じて電圧値が変化する第２電圧信号の差分電圧に基づいて前記符号特定用信号を生成する信号生成部と、
予め規定された計測期間において、前記第１電圧信号および前記第２電圧信号のうちの一方の電圧信号における高電位についての最長連続期間長および低電位についての最長連続期間長を計測する計測処理と、
２つの前記最長連続期間長の長短関係を特定する長短特定処理と、
当該長短特定処理で特定した前記長短関係、および前記一対の電流検出プローブがそれぞれ接続されるべき前記一対の信号線に接続されているときに前記長短特定処理において特定される前記長短関係である基準長短関係を比較して、前記一対の電流検出プローブがそれぞれ接続されるべき前記一対の信号線に接続されているか否かを判別する判別処理とを実行する処理部を備えている信号生成装置。
【請求項８】
通信路を構成する一対の信号線に一対の電流検出プローブを介して接続されて、当該通信路を介して伝送されるロジック信号に基づき、当該ロジック信号に対応する符号を特定可能な符号特定用信号を生成する信号生成装置であって、
前記一対の信号線のうちの一方の信号線に接続される前記一対の電流検出プローブのうちの一方の電流検出プローブから出力される電圧信号であって、当該一方の信号線に伝送されている電圧に起因して当該一方の信号線に流れる電流の電流値に応じて電圧値が変化する第１電圧信号、および前記一対の信号線のうちの他方の信号線に接続される前記一対の電流検出プローブのうちの他方の電流検出プローブから出力される電圧信号であって、当該他方の信号線に伝送されている電圧に起因して当該他方の信号線に流れる電流の電流値に応じて電圧値が変化する第２電圧信号の差分電圧に基づいて前記符号特定用信号を生成する信号生成部と、
生成された前記符号特定用信号に基づいて前記符号および当該符号の複数個で構成される符号列を特定する符号特定処理と、
前記符号特定処理における前記符号列の特定状態に基づいて、前記一対の電流検出プローブがそれぞれ接続されるべき前記一対の信号線に接続されているか否かを判別する判別処理とを実行する処理部を備えている信号生成装置。
【請求項９】
請求項１から８のいずれかに記載の信号生成装置と、
前記信号生成装置によって生成された前記符号特定用信号に基づいて前記ロジック信号に対応する前記符号を特定する符号化装置とを備えている信号読取システム。
【発明の詳細な説明】
【技術分野】
【０００１】
本発明は、通信路を介して伝送されるロジック信号に基づいてロジック信号に対応する符号を特定可能な符号特定用信号を生成する信号生成装置、およびこの信号生成装置を備えた信号読取システムに関するものである。
【背景技術】
【０００２】
例えば、下記の特許文献には、ＣＡＮを代表とする車内ＬＡＮに接続（車内ＬＡＮを構成する通信路に接続）されて、この車内ＬＡＮを介して伝送されている各種のデータ（ＣＡＮフレームを構成するデータ）を収集して記録可能に構成された信号生成装置としての車両データ収集装置（以下、単に「収集装置」ともいう）の発明が開示されている。この収集装置は、故障診断やメンテナンスなどを目的として外部機器を接続可能に車内ＬＡＮに設けられているダイアグコネクタ（診断機器接続用コネクタ：以下、単に「コネクタ」ともいう）に接続可能に構成されている。また、この収集装置では、上記のコネクタに接続することでコネクタを介して供給される電源によって動作し、イグニッションスイッチの操作に連動して車内ＬＡＮからのデータの収集の開始／停止を自動的に実行する構成が採用されている。
【先行技術文献】
【特許文献】
【０００３】
【特許文献１】特開２００８−７０１３３号公報（第４−１１頁、第１−１７図）
【発明の概要】
【発明が解決しようとする課題】
【０００４】
ところで、車内ＬＡＮに設けられている前述のコネクタは、故障診断やメンテナンスなどを目的とする外部機器（すなわち、車両の開発者（製造メーカー）が車両の出荷後に故障診断やメンテナンスなどを目的として接続されることを想定している機器）を接続するためのコネクタである。したがって、このコネクタを介して車内ＬＡＮに接続されるこの機器（開発者が想定している機器）については、車内ＬＡＮへの誤接続のおそれはなく、常に正常に接続される。つまり、この外部機器が車内ＬＡＮを構成する一対の信号線（ＣＡＮの場合には、ＣＡＮＨｉｇｈおよびＣＡＮＬｏｗ）に接続されるべき一対の入力端子を備えている場合に、一対の信号線のうちの一方の信号線（例えば、ＣＡＮＨｉｇｈ）に接続されるべき一方の入力端子がこの一方の信号線に常に接続され、かつ他方の信号線（例えば、ＣＡＮＬｏｗ）に接続されるべき他方の入力端子がこの他方の信号線に常に接続される。
【０００５】
しかしながら、車両についての故障診断やメンテナンスを行う現場において、開発者が想定している機器が存在せずに、この機器と同等の機能を有する機器（開発者が想定していない故障診断等のための外部機器）を、上記のコネクタを介さずに車内ＬＡＮに接続せざるを得ない場合があり、このような場合において、外部機器を車内ＬＡＮに誤接続するおそれがあるという解決すべき課題が存在している。
【０００６】
なお、自動車の分野における問題点について例示したが、上記した車内ＬＡＮと同等の通信路（ＣＡＮ通信路）は、自動車以外の分野、例えば、工場内の機械設備の分野においても利用されていることから、自動車以外の分野においても、車内ＬＡＮに関して生じる上記の課題と同等の課題が存在している。
【０００７】
本発明は、かかる解決すべき課題に鑑みてなされたものであり、ＣＡＮ通信路への誤接続を判定し得る信号生成装置、およびこの信号生成装置を備えた信号読取システムを提供することを主目的とする。
【課題を解決するための手段】
【０００８】
上記目的を達成すべく請求項１記載の信号生成装置は、通信路を構成する一対の信号線に一対のプローブを介して接続されて、当該通信路を介して伝送されるロジック信号に基づき、当該ロジック信号に対応する符号を特定可能な符号特定用信号を生成する信号生成装置であって、前記一対のプローブのうちの一方のプローブを介して前記一対の信号線のうちの一方の信号線に接続されて、当該一方の信号線に伝送されている電圧に応じて電圧が変化する第１電圧信号を出力する第１検出部と、前記一対のプローブのうちの他方のプローブを介して前記一対の信号線のうちの他方の信号線に接続されて、当該他方の信号線に伝送されている電圧に応じて電圧が変化する第２電圧信号を出力する第２検出部と、前記第１電圧信号および前記第２電圧信号の差分電圧に基づいて前記符号特定用信号を生成する信号生成部と、予め規定された計測期間において、前記第１電圧信号および前記第２電圧信号のうちの一方の電圧信号における高電位についての最長連続期間長および低電位についての最長連続期間長を計測する計測処理と、２つの前記最長連続期間長の長短関係を特定する長短特定処理と、当該長短特定処理で特定した前記長短関係、および前記一対のプローブがそれぞれ接続されるべき前記一対の信号線に接続されているときに前記長短特定処理において特定される前記長短関係である基準長短関係を比較して、前記一対のプローブがそれぞれ接続されるべき前記一対の信号線に接続されているか否かを判別する判別処理とを実行する処理部を備えている。
【０００９】
また、請求項２記載の信号生成装置は、通信路を構成する一対の信号線に一対のプローブを介して接続されて、当該通信路を介して伝送されるロジック信号に基づき、当該ロジック信号に対応する符号を特定可能な符号特定用信号を生成する信号生成装置であって、前記一対のプローブのうちの一方のプローブを介して前記一対の信号線のうちの一方の信号線に接続されて、当該一方の信号線に伝送されている電圧に応じて電圧が変化する第１電圧信号を出力する第１検出部と、前記一対のプローブのうちの他方のプローブを介して前記一対の信号線のうちの他方の信号線に接続されて、当該他方の信号線に伝送されている電圧に応じて電圧が変化する第２電圧信号を出力する第２検出部と、前記第１電圧信号および前記第２電圧信号の差分電圧に基づいて前記符号特定用信号を生成する信号生成部と、生成された前記符号特定用信号に基づいて前記符号および当該符号の複数個で構成される符号列を特定する符号特定処理と、前記符号特定処理における前記符号列の特定状態に基づいて、前記一対のプローブがそれぞれ接続されるべき前記一対の信号線に接続されているか否かを判別する判別処理とを実行する処理部を備えている。
【００１０】
また、請求項３記載の信号生成装置は、請求項１または２記載の信号生成装置において、前記第１検出部および前記第２検出部と前記信号生成部との間に配設されて、当該第１検出部から出力される前記第１電圧信号および前記第２検出部から出力される前記第２電圧信号を前記差分電圧の極性が反転するように切り替えて前記信号生成部に出力可能に構成された信号切替部を備えている。
【００１１】
また、請求項４記載の信号生成装置は、請求項３記載の信号生成装置において、前記処理部は、前記判別処理において前記一対のプローブがそれぞれ接続されるべき前記一対の信号線に接続されていないと判別したときには、前記信号切替部に対して前記第１電圧信号および前記第２電圧信号の切り替えを実行させる。
【００１２】
また、請求項５記載の信号生成装置は、請求項１から４のいずれかに記載の信号生成装置において、表示装置を備え、前記処理部は、前記判別処理での前記判別の結果を前記表示装置に表示させる。
【００１３】
また、請求項６記載の信号生成装置は、請求項１から４のいずれかに記載の信号生成装置において、前記一対の信号線は、ＣＡＮ通信用のシリアルバスを構成する高電位側信号線および低電位側信号線であり、前記第１検出部に対応する第１表示器、および前記第２検出部に対応する第２表示器を有する表示装置を備え、前記処理部は、前記判別処理での前記判別の結果に基づいて、前記第１検出部に対応する前記一方のプローブおよび前記第２検出部に対応する前記他方のプローブの各々が前記高電位側信号線および前記低電位側信号線のうちのいずれの信号線に接続されているかを判別すると共に、前記一方のプローブが接続されていると判別された前記信号線を示す情報を前記第１表示器に表示させると共に、前記他方のプローブが接続されていると判別された前記信号線を示す情報を前記第２表示器に表示させる。
【００１４】
また、請求項７記載の信号生成装置は、通信路を構成する一対の信号線に一対の電流検出プローブを介して接続されて、当該通信路を介して伝送されるロジック信号に基づき、当該ロジック信号に対応する符号を特定可能な符号特定用信号を生成する信号生成装置であって、前記一対の信号線のうちの一方の信号線に接続される前記一対の電流検出プローブのうちの一方の電流検出プローブから出力される電圧信号であって、当該一方の信号線に伝送されている電圧に起因して当該一方の信号線に流れる電流の電流値に応じて電圧値が変化する第１電圧信号、および前記一対の信号線のうちの他方の信号線に接続される前記一対の電流検出プローブのうちの他方の電流検出プローブから出力される電圧信号であって、当該他方の信号線に伝送されている電圧に起因して当該他方の信号線に流れる電流の電流値に応じて電圧値が変化する第２電圧信号の差分電圧に基づいて前記符号特定用信号を生成する信号生成部と、予め規定された計測期間において、前記第１電圧信号および前記第２電圧信号のうちの一方の電圧信号における高電位についての最長連続期間長および低電位についての最長連続期間長を計測する計測処理と、２つの前記最長連続期間長の長短関係を特定する長短特定処理と、当該長短特定処理で特定した前記長短関係、および前記一対の電流検出プローブがそれぞれ接続されるべき前記一対の信号線に接続されているときに前記長短特定処理において特定される前記長短関係である基準長短関係を比較して、前記一対の電流検出プローブがそれぞれ接続されるべき前記一対の信号線に接続されているか否かを判別する判別処理とを実行する処理部を備えている。
【００１５】
また、請求項８記載の信号生成装置は、通信路を構成する一対の信号線に一対の電流検出プローブを介して接続されて、当該通信路を介して伝送されるロジック信号に基づき、当該ロジック信号に対応する符号を特定可能な符号特定用信号を生成する信号生成装置であって、前記一対の信号線のうちの一方の信号線に接続される前記一対の電流検出プローブのうちの一方の電流検出プローブから出力される電圧信号であって、当該一方の信号線に伝送されている電圧に起因して当該一方の信号線に流れる電流の電流値に応じて電圧値が変化する第１電圧信号、および前記一対の信号線のうちの他方の信号線に接続される前記一対の電流検出プローブのうちの他方の電流検出プローブから出力される電圧信号であって、当該他方の信号線に伝送されている電圧に起因して当該他方の信号線に流れる電流の電流値に応じて電圧値が変化する第２電圧信号の差分電圧に基づいて前記符号特定用信号を生成する信号生成部と、生成された前記符号特定用信号に基づいて前記符号および当該符号の複数個で構成される符号列を特定する符号特定処理と、前記符号特定処理における前記符号列の特定状態に基づいて、前記一対の電流検出プローブがそれぞれ接続されるべき前記一対の信号線に接続されているか否かを判別する判別処理とを実行する処理部を備えている。
【００１６】
また、請求項９記載の信号読取システムは、請求項１から８のいずれかに記載の信号生成装置と、前記信号生成装置によって生成された前記符号特定用信号に基づいて前記ロジック信号に対応する前記符号を特定する符号化装置とを備えている。
【発明の効果】
【００１７】
請求項１，７記載の信号生成装置および請求項９記載の信号読取システムでは、処理部が、予め規定された計測期間において、一方の電圧信号における高電位についての最長連続期間長および低電位についての最長連続期間長を計測する計測処理と、２つの最長連続期間長の長短関係を特定する長短特定処理と、この特定した長短関係および基準長短関係を比較して一対のプローブ（または一対の電流検出プローブ）がそれぞれ接続されるべき一対の信号線に正しく接続されているか否かを判別する判別処理とを実行する。したがって、この信号生成装置によれば、信号生成装置の使用者が、処理部での判別結果に基づき、各プローブ（または各電流検出プローブ）が正しい接続状態で接続されているか、誤接続状態で接続されているかを確実に知得（認識）することができ、誤接続状態のときには、各プローブ（または各電流検出プローブ）を信号線に正しい接続状態となるように接続し直すことができる。したがって、この信号生成装置および信号読取システムによれば、信号生成装置が正しい符号特定用信号を生成して出力することができ、符号化装置が、この正しい符号特定用信号に基づいて、ロジック信号によって示されている符号を正確に特定することができ、さらには特定した符号の列で構成される符号列を正確に特定することができる。
【００１８】
請求項２，８記載の信号生成装置および請求項９記載の信号読取システムでは、処理部が、信号生成部で生成された符号特定用信号に基づいて符号および符号列を特定する符号特定処理と、符号特定処理における符号列の特定状態（特定できている状態か、特定できていない状態か）に基づいて、一対のプローブ（または一対の電流検出プローブ）がそれぞれ接続されるべき一対の信号線に接続されているか否かを判別する判別処理とを実行する。したがって、この信号生成装置によれば、信号生成装置の使用者が、処理部での判別結果に基づき、各プローブ（または各電流検出プローブ）が正しい接続状態で接続されているか、誤接続状態で接続されているかを確実に知得（認識）することができ、誤接続状態のときには、各プローブ（または各電流検出プローブ）を信号線に正しい接続状態となるように接続し直すことができる。したがって、この信号生成装置および信号読取システムによれば、信号生成装置が正しい符号特定用信号を生成して出力することができ、符号化装置が、この正しい符号特定用信号に基づいて、ロジック信号によって示されている符号を正確に特定することができ、さらには特定した符号の列で構成される符号列を正確に特定することができる。
【００１９】
請求項３記載の信号生成装置および請求項９記載の信号読取システムによれば、第１電圧信号および第２電圧信号を差分電圧の極性が反転するように切り替えて信号生成部に出力可能に構成された信号切替部を備えているため、信号切替部での第１電圧信号および第２電圧信号の切り替えを手動で、または自動で行うことにより、使用者が正しい接続状態となるように各プローブを手動（手作業）で接続し直す作業を省きつつ、正しい符号特定用信号を生成して出力することができる。
【００２０】
請求項４記載の信号生成装置および請求項９記載の信号読取システムによれば、処理部は、判別処理において一対のプローブがそれぞれ接続されるべき一対の信号線に接続されていないと判別したときには、信号切替部に対して第１電圧信号および第２電圧信号の切り替えを実行させるため、信号切替部での第１電圧信号および第２電圧信号の切り替えを自動で行うことができることから、使用者による手動作業を完全に不要にしつつ、正しい符号特定用信号を生成して出力することができる。
【００２１】
請求項５記載の信号生成装置および請求項９記載の信号読取システムによれば、判別結果が誤接続状態を示すものであるときにのみ表示装置が発光状態に移行させられるため、使用者に対して誤接続状態であることを報知することができる。
【００２２】
請求項６記載の信号生成装置および請求項９記載の信号読取システムによれば、第１表示器に表示されている情報、および第２表示器に表示されている情報に基づいて、第１検出部に対応する一方のプローブが高電位側信号線および低電位側信号線のいずれに接続され、また第２検出部に対応する他方のプローブが高電位側信号線および低電位側信号線のいずれに接続されているかを使用者に報知することができる。
【図面の簡単な説明】
【００２３】
【図１】信号読取システム１の構成を示す構成図である。
【図２】信号生成装置２Ａの構成を示す構成図である。
【図３】符号Ｃｓ、電圧Ｖａ，Ｖｂ、電圧信号Ｖｃ１，Ｖｃ２、第１電圧信号Ｖｄ１、第２電圧信号Ｖｄ２、および符号特定用信号Ｓｆの波形図である。
【図４】、ＣＡＮフレーム（ＣＡＮ通信における標準フォーマットのデータフレーム）のフレーム構造を説明するための説明図である。
【図５】信号生成装置２Ｂの構成を示す構成図である。
【図６】信号生成装置２Ｃの構成を示す構成図である。
【図７】信号生成装置２Ｄの構成を示す構成図である。
【図８】出力部１７の他の構成を示す構成図である。
【図９】信号生成装置２Ａ，２Ｂ，２Ｃ，２Ｄを被覆導線Ｌａ，Ｌｂに接続するプローブＰＬａ，ＰＬｂの他の構成を説明するための構成図である。
【図１０】信号生成装置２Ａ，２Ｂ，２Ｃ，２Ｄを被覆導線Ｌａ，Ｌｂに接続するプローブＰＬａ，ＰＬｂの他の構成を説明するための構成図である。
【図１１】信号生成装置２Ａ，２Ｂ，２Ｃ，２Ｄを電流検出プローブＰＬｃ，ＰＬｄで被覆導線Ｌａ，Ｌｂに接続する構造を説明するための構成図である。
【発明を実施するための形態】
【００２４】
以下、信号生成装置および信号読取システムの実施の形態について、添付図面を参照して説明する。
【００２５】
この信号生成装置は、一対の信号線（一例として一対の被覆導線）で構成される通信路を介して伝送される２線差動電圧方式のロジック信号に基づき、このロジック信号に対応する符号を特定可能な符号特定用信号を生成する。また、この信号読取システムは、信号生成装置によって生成された符号特定用信号に基づいて上記のロジック信号に対応する符号を特定すると共に、特定した符号で構成される符号列を特定するシステムであって、「ＣＡＮプロトコル」、「ＣＡＮ  ＦＤ」、「ＦｌｅｘＲａｙ（登録商標）」などの各種通信プロトコルに準拠した各種の「２線差動電圧方式のロジック信号」や、「ＬＶＤＳ」による小振幅低消費電力通信が可能な各種通信プロトコルに準拠した各種の「２線差動電圧方式のロジック信号」を対象とすることができる。この場合、「ＣＡＮプロトコル」および「ＣＡＮ  ＦＤ」の「ＣＡＮ通信用のシリアルバス」では、「高電位側信号線（CANH）／低電位側信号線（CANL）」が「ロジック信号を伝送するための一対の被覆導線」に相当し、「ＦｌｅｘＲａｙ通信用のシリアルバス」では、「正側信号線（BP）／負側信号線（BM）」が「ロジック信号を伝送するための一対の被覆導線」に相当し、「ＬＶＤＳによる通信を行うシリアルバス」では、「正論理側信号線／負論理側信号線」が「ロジック信号を伝送するための一対の被覆導線」に相当する。また、この信号読取システムは、上記のロジック信号に対応する符号および符号列を特定する機能を備えていることから、結果として、通信路に伝送されているロジック信号を検出するアナライザとしても機能し、さらに検出した符号列をメモリに記憶するように構成されているときには記録装置（レコーダ）としても機能する。
【００２６】
以下では、一例として、「ＣＡＮ通信用のシリアルバス」を対象として、ＣＡＮ通信用のシリアルバス（ＣＡＮ通信路。以下、単に通信路ともいう）から各種ＣＡＮフレーム（２線差動電圧方式のロジック信号によって示されている符号の列（以下、符号列ともいう））を取得して動作する各種電子機器とシリアルバスとの間に配設して使用される信号生成装置および信号読取システムを例に挙げて説明する。具体的には、一例として、自動車に配設されている通信路からロジック信号を読み取り、対応する符号列（ＣＡＮフレーム）を利用した各種の処理を外部機器（ＣＡＮ通信対応機器）において実行させる例について説明する。
【００２７】
図１に示す信号読取システム１は、「信号読取システム」の一例であって、信号生成装置２Ａ（「信号生成装置」の一例）、および符号化装置３（「符号化装置」の一例）を備えて構成されている。この信号読取システム１は、自動車に配設されているＣＡＮ通信用のシリアルバスＳＢ（「通信路」の一例）からＣＡＮフレーム（「通信路を介して伝送されるロジック信号」の一例）を読み取り、読み取ったＣＡＮフレームと同じＣＡＮフレームＣｓ（「ロジック信号に対応する符号列」の一例）を各種のＣＡＮ通信対応機器に出力することができるように構成されている。
【００２８】
この場合、シリアルバスＳＢを介してのＣＡＮプロトコルに準拠した通信時には、図１，２に示すように、ＣＡＮフレーム（符号列）を構成する各符号を表すロジック信号Ｓａが、シリアルバスＳＢにおける２本の被覆導線のうちのＣＡＮＨｉｇｈ（CANH）の被覆導線Ｌａに伝送される電圧信号の電圧Ｖａ（以下、理解の容易のため、この電圧信号自体を電圧信号Ｖａともいう）と、２本の被覆導線のうちのＣＡＮＬｏｗ（CANL）の被覆導線Ｌｂに伝送される電圧信号の電圧Ｖｂ（以下、理解の容易のため、この電圧信号自体を電圧信号Ｖｂともいう）との間の電位差（Ｖａ−Ｖｂ）である差動信号として伝送される。
【００２９】
なお、シリアルバスＳＢを介してのロジック信号Ｓａの伝送原理については公知のため、詳細な説明を省略するが、ＣＡＮＨｉｇｈ（CANH）の電圧信号ＶａおよびＣＡＮＬｏｗ（CANL）の電圧信号Ｖｂの仕様について簡単に説明する。図３に示すように、電圧信号Ｖａ，Ｖｂは、ベースになる電圧（＋２．５Ｖ）から逆方向に変化する電圧信号であって、電圧信号Ｖａがこのベースの電圧のときには、電圧信号Ｖｂも同じ期間に亘り同じベースの電圧になって、電位差（Ｖａ−Ｖｂ）がゼロ（最小）となるこの期間に伝送されるＣＡＮフレームを構成する符号Ｃｓ（論理値）は「１」を示すものとなる。一方、電圧信号Ｖａがこのベースの電圧よりも高電圧の規定電圧（＋３．５Ｖ）のときには、電圧信号Ｖｂは同じ期間に亘り、逆にベースの電圧よりも低電圧の他の規定電圧（＋１．５Ｖ）になって、電位差（Ｖａ−Ｖｂ）が最大となるこの期間に伝送されるＣＡＮフレームを構成する符号Ｃｓ（論理値）は「０」を示すものとなる。また、シリアルバスＳＢにおいて差動信号を伝送するための基準電位となる信号線である「SG」や、差動信号の伝送の用途以外に配設されている信号線および電力線等の図示および説明を省略する。
【００３０】
信号生成装置２Ａは、図２に示すように、入力端子１１，１２、第１検出部１３、第２検出部１４、信号生成部１５、処理部１６および出力部１７を備えている。また、信号生成装置２Ａは、図１，２に示すように、入力端子１１に接続された第１プローブＰＬａ、および入力端子１２に接続された第２プローブＰＬｂ（第１プローブＰＬａとは別体のプローブ）を介して一対の被覆導線Ｌａ，Ｌｂ（以下、特に区別しないときには「被覆導線Ｌ」ともいう）で構成されるシリアルバスＳＢに接続されて、このシリアルバスＳＢを介して伝送される２線差動電圧方式のロジック信号Ｓａ（具体的には、被覆導線Ｌａ側の電圧信号Ｖａおよび被覆導線Ｌｂ側の電圧信号Ｖｂ）に基づき、図３に示すように、電圧信号Ｖａ，Ｖｂに対応する符号Ｃｓ（電位差（Ｖａ−Ｖｂ）である差動信号に対応する符号Ｃｓ（「１」または「０」））を特定可能な符号特定用信号Ｓｆを生成する。
【００３１】
第１プローブＰＬａおよび第２プローブＰＬｂは、シールドケーブル（一例として、同軸ケーブル）を用いて構成されている。また、第１プローブＰＬａは、基端部側が入力端子１１に接続される（固定的、または取り外し自在に接続される）と共に、被覆導線Ｌａに取り外し自在に接続される先端部側（自由端部側）に電極部２１ａが設けられている。本例では、第１プローブＰＬａは金属非接触型のプローブとして構成されている。このため、電極部２１ａは、被覆導線Ｌａに接続された状態において、被覆導線Ｌａの不図示の絶縁被覆部（以下、単に「被覆部」ともいう）に接触（当接）して、被覆導線Ｌａの不図示の金属部（芯線）と容量結合する電極２２ａと、被覆導線Ｌａの被覆部における電極２２ａの接触部位をこの電極２２ａを含めて覆うことで、電極２２ａの他の金属部（被覆導線Ｌａの芯線以外の金属部）との容量結合を防止するためのシールド２３ａとを備えている。また、電極２２ａは、第１プローブＰＬａを構成するシールドケーブルの芯線および入力端子１１を介して第１検出部１３に接続されている。また、シールド２３ａは、このシールドケーブルのシールドおよび入力端子１１を介して、信号生成装置２Ａにおける基準電位の部位（グランドＧ）に接続されている。
【００３２】
第２プローブＰＬｂも第１プローブＰＬａと同様に金属非接触型のプローブとして構成されて、基端部側が入力端子１２に接続されると共に、被覆導線Ｌｂに取り外し自在に接続される先端部側（自由端部側）に電極部２１ｂが設けられている。また、電極部２１ｂは、被覆導線Ｌｂの金属部（芯線）と容量結合する電極２２ｂと、被覆導線Ｌｂの被覆部における電極２２ｂの接触部位をこの電極２２ｂを含めて覆うことで、電極２２ｂの他の金属部（被覆導線Ｌｂの芯線以外の金属部）との容量結合を防止するためのシールド２３ｂとを備えている。また、電極２２ｂは、第２プローブＰＬｂを構成するシールドケーブルの芯線および入力端子１２を介して第２検出部１４に接続されている。また、シールド２３ａは、このシールドケーブルのシールドおよび入力端子１２を介して、グランドＧに接続されている。また、被覆導線Ｌａ，Ｌｂは同一構造（外径や断面構造が同一）の電線で構成されているため、この被覆導線Ｌａ，Ｌｂに接続される電極部２１ａ，２１ｂは同一に構成されている。
【００３３】
また、上記したように電極部２１ａ，２１ｂが同一に構成されているため、信号生成装置２Ａの使用者が各プローブＰＬａ，ＰＬｂを被覆導線Ｌａ，Ｌｂに誤接続する（第１プローブＰＬａを被覆導線Ｌｂに接続し（取り付け）、第２プローブＰＬｂを被覆導線Ｌａに接続する（取り付ける））、という可能性もある。しかしながら、符号Ｃｓを正しく特定可能な符号特定用信号Ｓｆを生成するためには、図２に示すように、第１検出部１３が、入力端子１１に接続された第１プローブＰＬａを介して被覆導線Ｌａ（CANHの信号線）に接続され、第２検出部１４が、入力端子１２に接続された第２プローブＰＬｂを介して被覆導線Ｌｂ（CANLの信号線）に接続される必要がある。このため、この誤接続を防止すべく、第１プローブＰＬａおよび第２プローブＰＬｂには、接続すべき被覆導線Ｌａ，Ｌｂを明示するためのマーク等（例えば、接続すべき被覆導線Ｌａ，Ｌｂを示す「CANH」，「CANL」の文字等）が表示されている。
【００３４】
第１検出部１３は、一例として、図２に示すように、インピーダンス素子１３ａ、およびアンプ１３ｂを備えて、入力端子１１および第１プローブＰＬａを介して接続された被覆導線Ｌに伝送されている電圧（正しく被覆導線Ｌａに接続されたときには電圧Ｖａ、一方、被覆導線Ｌｂに誤接続されたときには電圧Ｖｂ）に応じて電圧が変化する第１電圧信号Ｖｄ１を出力する。
【００３５】
一例として、インピーダンス素子１３ａは、抵抗３１ａ（高抵抗値の抵抗（少なくとも数ＭΩ程度の高インピーダンス抵抗））、および抵抗３１ａに並列接続されたコンデンサ３２ａを備えて構成されている。インピーダンス素子１３ａは、その一端（抵抗３１ａの一端）が入力端子１１を介して第１プローブＰＬａを構成するシールドケーブルの芯線に接続され、その他端（抵抗３１ａの他端）がグランドＧに接続されている。この構成により、インピーダンス素子１３ａは、電極部２１ａの電極２２ａと容量結合する一方の被覆導線Ｌ（被覆導線Ｌａまたは被覆導線Ｌｂ）に伝送されている電圧信号Ｖの電圧Ｖ（電圧信号Ｖａの電圧Ｖａまたは電圧信号Ｖｂの電圧Ｖｂ）に応じて電圧が変化する電圧信号Ｖｃ１を、両端間に発生させる。この場合、インピーダンス素子１３ａは、第１プローブＰＬａが正しく被覆導線Ｌａに接続されているときには、電圧Ｖａがベースの電圧のときに低電圧となり、電圧Ｖａが高電圧の規定電圧のときに高電圧となるように変化する電圧信号Ｖｃ１を発生させ、一方、第１プローブＰＬａが被覆導線Ｌｂに誤接続されているときには、電圧Ｖｂがベースの電圧のときに高電圧となり、電圧Ｖｂが低電圧の規定電圧のときに低電圧となるように変化する電圧信号Ｖｃ１を発生させる。
【００３６】
アンプ１３ｂは、一例として、この電圧信号Ｖｃ１を非反転増幅して、第１電圧信号Ｖｄ１として出力する。なお、この構成に代えて、アンプ１３ｂが、この電圧信号Ｖｃ１を反転増幅して、第１電圧信号Ｖｄ１として出力する構成を採用することもできる。また、アンプ１３ｂは、電圧信号Ｖｃ１に含まれる交流成分と共に直流成分も併せて増幅する構成とすることもできるが、電圧信号Ｖｃ１に含まれる交流成分のみを増幅する構成（交流アンプとする構成）を採用して、アンプ１３ｂの出力が飽和する（第１電圧信号Ｖｄ１がアンプ１３ｂの作動用電圧で頭打ちとなる）事態の発生を軽減するのが好ましい。
【００３７】
第２検出部１４は、一例として、図２に示すように、インピーダンス素子１４ａ、およびアンプ１４ｂを備えて、入力端子１２および第２プローブＰＬｂを介して接続された被覆導線Ｌに伝送されている電圧（正しく被覆導線Ｌｂに接続されたときには電圧Ｖｂ、一方、被覆導線Ｌａに誤接続されたときには電圧Ｖａ）に応じて電圧が変化する第２電圧信号Ｖｄ２を出力する。
【００３８】
一例として、インピーダンス素子１４ａは、抵抗３１ｂ（抵抗３１ａと同じ抵抗値の抵抗）、および抵抗３１ｂに並列接続されたコンデンサ３２ｂ（好ましくは、コンデンサ３２ａと同等の容量値のコンデンサ）を備えて構成されている。インピーダンス素子１４ａは、その一端（抵抗３１ｂの一端）が入力端子１２を介して第２プローブＰＬｂを構成するシールドケーブルの芯線に接続され、その他端（抵抗３１ｂの他端）がグランドＧに接続されている。この構成により、インピーダンス素子１４ａは、電極部２１ｂの電極２２ｂと容量結合する一方の被覆導線Ｌ（被覆導線Ｌａまたは被覆導線Ｌｂ）に伝送されている電圧信号Ｖの電圧Ｖ（電圧信号Ｖａの電圧Ｖａまたは電圧信号Ｖｂの電圧Ｖｂ）に応じて電圧が変化する電圧信号Ｖｃ２を、両端間に発生させる。この場合、インピーダンス素子１４ａは、第２プローブＰＬｂが被覆導線Ｌａに誤接続されているときには、電圧Ｖａがベースの電圧のときに低電圧となり、電圧Ｖａが高電圧の規定電圧のときに高電圧となるように変化する電圧信号Ｖｃ２を発生させ、一方、第２プローブＰＬｂが正しく被覆導線Ｌｂに接続されているときには、電圧Ｖｂがベースの電圧のときに高電圧となり、電圧Ｖｂが低電圧の規定電圧のときに低電圧となるように変化する電圧信号Ｖｃ２を発生させる。
【００３９】
なお、インピーダンス素子１３ａ，１４ｂは、上記の構成（抵抗３１ａおよびコンデンサ３２ａの並列回路、抵抗３１ｂおよびコンデンサ３２ｂの並列回路）に限定されるものではない。例えば、抵抗３１ａや抵抗３１ｂだけの回路や、コンデンサ３２ａやコンデンサ３２ｂだけの回路で構成してもよい。また、コンデンサ３２ａ，３２ｂについては、ディスクリート部品で構成することもできるし、入力端子１１，１２を介して接続されたプローブＰＬａ，ＰＬｂを構成するシールドケーブルの配線容量（芯線とシールドとの間に形成される容量）で構成することもできる。
【００４０】
アンプ１４ｂは、一例として、アンプ１３ｂと同一に構成（増幅率が同一で、かつ増幅形態（非反転増幅であるか反転増幅であるか、交流アンプであるか否か）が同一に構成）されている。本例では、アンプ１４ｂは、増幅率がアンプ１３ｂと同一の非反転アンプで構成されて、この電圧信号Ｖｃ２を非反転増幅して、第２電圧信号Ｖｄ２として出力する。なお、アンプ１３ｂが反転アンプのときには、アンプ１４ｂは増幅率がアンプ１３ｂと同一の反転アンプで構成されて、この電圧信号Ｖｃ２を反転増幅して、第２電圧信号Ｖｄ２として出力する。また、アンプ１３ｂが交流アンプのときには、アンプ１４ｂも交流アンプで構成されて、電圧信号Ｖｃ２に含まれる交流成分のみを増幅して、第２電圧信号Ｖｄ２として出力する。
【００４１】
信号生成部１５は、第１電圧信号Ｖｄ１および第２電圧信号Ｖｄ２を入力すると共に、各電圧信号Ｖｄ１，Ｖｄ２の差分電圧（Ｖｄ１−Ｖｄ２）に基づいて符号特定用信号Ｓｆを生成して出力する。この場合、信号生成部１５は、第１プローブＰＬａが接続されるべき被覆導線Ｌａに接続され（正しく被覆導線Ｌａに接続され）、かつ第２プローブＰＬｂが接続されるべき被覆導線Ｌｂに接続されて（正しく被覆導線Ｌｂに接続されて）、図３に示すように、電圧Ｖａがベースの電圧のときに低電圧となり、かつ電圧Ｖａが高電圧の規定電圧のときに高電圧となるように電圧信号Ｖｃ１が発生し、また電圧Ｖｂがベースの電圧のときに高電圧となり、かつ電圧Ｖｂが低電圧の規定電圧のときに低電圧となるように電圧信号Ｖｃ２が発生している状態において、電圧信号Ｖｃ１と同相の第１電圧信号Ｖｄ１および電圧信号Ｖｃ２と同相の第２電圧信号Ｖｄ２の差分電圧（Ｖｄ１−Ｖｄ２）に基づいて、シリアルバスＳＢにＣＡＮフレーム（符号列）を構成する符号Ｃｓ（「１」）が伝送されている期間において高電位側電圧（レセッシブ）となり、符号Ｃｓ（「０」）が伝送されている期間において低電位側電圧（ドミナント）となる符号特定用信号Ｓｆを正しく生成して出力する。
【００４２】
処理部１６は、一例として、ＣＰＵなどで構成されて、計測処理、長短特定処理および判別処理を実行して、第１プローブＰＬａが接続されるべき被覆導線Ｌａに接続され、かつ第２プローブＰＬｂが接続されるべき被覆導線Ｌｂに接続されている接続状態（正しい接続状態）であるか、または第１プローブＰＬａが接続されるべきでない被覆導線Ｌｂに接続され、かつ第２プローブＰＬｂが接続されるべきでない被覆導線Ｌａに接続されている接続状態（誤接続状態）であるかを判別すると共に、この判別結果を出力部１７に出力する。また、処理部１６は、第１電圧信号Ｖｄ１および第２電圧信号Ｖｄ２のうちのいずれか一方の信号（本例では一例として、第２電圧信号Ｖｄ２）を入力すると共に、この一方の信号に基づいて計測処理、長短特定処理および判別処理を実行して、上記の接続状態を判別する。また、処理部１６には、判別処理において使用する基準長短関係が予め記憶されている。
【００４３】
出力部１７は、一例として、ディスプレイ装置や発光ダイオードなどの表示装置で構成されて、処理部１６から出力される判別結果を表示する（出力する）。本例では一例として、出力部１７は、発光ダイオードで構成されて、処理部１６から出力された判別結果が誤接続状態を示すものであるときにのみ発光状態（点滅を繰り返す発光状態や、連続して発光する発光状態など）に移行する。この構成により、信号生成装置２Ａは、使用者に対して、各プローブＰＬａ，ＰＬｂが被覆導線Ｌａ，Ｌｂに正しく接続されているか、誤接続されているかを報知することが可能となっている。
【００４４】
符号化装置３は、信号生成装置２Ａから出力された符号特定用信号Ｓｆに基づき、ロジック信号Ｓａに対応する符号Ｃｓ（図３参照）を特定する符号化処理を実行し、特定した符号Ｃｓの列（すなわち、シリアルバスＳＢを伝送されているＣＡＮフレームと同じＣＡＮフレーム）を、信号読取システム１に接続されている各種ＣＡＮ通信対応機器に出力する。なお、符号化装置３は、ＣＡＮ通信対応機器と有線伝送路を介して接続されているときには、特定したＣＡＮフレームを有線通信でＣＡＮ通信対応機器に出力（送信）し、ＣＡＮ通信対応機器と無線伝送路を介して接続されているときには、特定したＣＡＮフレームを無線通信でＣＡＮ通信対応機器に出力（送信）する。
【００４５】
具体的には、上記したように、各プローブＰＬａ，ＰＬｂが被覆導線Ｌａ，Ｌｂに正しく接続されている状態において、信号生成装置２Ａは、シリアルバスＳＢにＣＡＮフレームを構成する符号Ｃｓ（「１」）が伝送されている期間において高電位側電圧（レセッシブ）となり、符号Ｃｓ（「０」）が伝送されている期間において低電位側電圧（ドミナント）となる符号特定用信号Ｓｆを生成して出力し、符号化装置３は、ＣＡＮフレーム（ＣＡＮ通信における標準フォーマットのデータフレーム）が図４に示すフレーム構造となっていることを前提として、この符号特定用信号ＳｆからＣＡＮフレーム（符号Ｃｓで構成される符号列）を特定する。
【００４６】
この場合、符号化装置３は、符号特定用信号Ｓｆが、バスアイドル状態を示すレセッシブからドミナントへ変化したことを検出したとき（ＳＯＦ(Start Of Frame)を検出したとき）に、このＳＯＦから開始するデータフレームの受信を開始する。また、符号化装置３は、符号特定用信号Ｓｆが、７ビット長に亘ってレセッシブが連続したことを検出したとき（ＥＯＦ(End Of Frame)を検出したとき）に、データフレームが終了したことを検出して、データフレームの受信を終了する。また、このデータフレームでは、ＳＯＦからＣＲＣシーケンスの終わりまでの範囲において、ビットスタッフィングルール（同じデータが５ビット連続したとき、その次のデータにスタッフビットという反転ビットを入れるというルール）が適用される。なお、図４に示すデータフレームの構成は公知であるため、他の構成についての説明は省略する。また、図４中において括弧書きで示す数値は、対応するデータのビット数を示している。
【００４７】
一方、各プローブＰＬａ，ＰＬｂが被覆導線Ｌａ，Ｌｂに誤接続されている状態においては、信号生成装置２Ａは、シリアルバスＳＢにＣＡＮフレームを構成する符号Ｃｓ（「１」）が伝送されている期間において低電位側電圧（ドミナント）となり、符号Ｃｓ（「０」）が伝送されている期間において高電位側電圧（レセッシブ）となる符号特定用信号Ｓｆを生成して、符号化装置３に出力する。この場合、符号特定用信号Ｓｆは、図４に示す構成のデータフレームのドミナントとレセッシブとが反転した状態の信号として出力される。したがって、符号化装置３は、この符号特定用信号ＳｆからＣＡＮフレーム（符号Ｃｓで構成される符号列）を特定できないことから、ＣＡＮフレームを特定する動作を繰り返す。なお、符号化装置３は、予め規定された期間に亘って、ＣＡＮフレームを特定することができないときには、その旨を示すエラー信号を出力する構成を採用することもできる。
【００４８】
次に、信号読取システム１の使用例、およびその際の信号読取システム１の動作について、図面を参照して説明する。
【００４９】
最初に、図１，２に示すように、使用者によって、第１プローブＰＬａが接続されるべき被覆導線Ｌａに接続され（正しく被覆導線Ｌａに接続され）、かつ第２プローブＰＬｂが接続されるべき被覆導線Ｌｂに接続され（正しく被覆導線Ｌｂに接続され）ているときには、信号生成装置２Ａの第１検出部１３では、上記したように、インピーダンス素子１３ａが、図３に示すように、入力端子１１および第１プローブＰＬａを介して接続された被覆導線Ｌａの電圧Ｖａに応じて電圧が変化する（つまり、電圧Ｖａがベースの電圧のときに低電圧となり、電圧Ｖａが高電圧の規定電圧のときに高電圧となるように変化する）電圧信号Ｖｃ１を発生させ、アンプ１３ｂが、図３に示すように、この電圧信号Ｖｃ１を非反転増幅して第１電圧信号Ｖｄ１を出力する。これにより、第１検出部１３は、シリアルバスＳＢにＣＡＮフレームを構成する符号Ｃｓ（「１」）が伝送されている期間において低電圧となり、符号Ｃｓ（「０」）が伝送されている期間において高電圧となる第１電圧信号Ｖｄ１を生成して出力する。
【００５０】
また、信号生成装置２Ａの第２検出部１４では、上記したように、インピーダンス素子１４ａが、図３に示すように、入力端子１２および第２プローブＰＬｂを介して接続された被覆導線Ｌｂの電圧Ｖｂに応じて電圧が変化する（つまり、電圧Ｖｂがベースの電圧のときに高電圧となり、電圧Ｖｂが低電圧の規定電圧のときに低電圧となるように変化する）電圧信号Ｖｃ２を発生させ、アンプ１４ｂが、図３に示すように、この電圧信号Ｖｃ２を非反転増幅して第２電圧信号Ｖｄ２を出力する。これにより、第２検出部１４は、シリアルバスＳＢにＣＡＮフレームを構成する符号Ｃｓ（「１」）が伝送されている期間において高電圧となり、符号Ｃｓ（「０」）が伝送されている期間において低電圧となる第２電圧信号Ｖｄ２を生成して出力する。
【００５１】
次いで、信号生成部１５は、第１電圧信号Ｖｄ１および第２電圧信号Ｖｄ２を入力すると共に、各電圧信号Ｖｄ１，Ｖｄ２の差分電圧（Ｖｄ１−Ｖｄ２）に基づいて符号特定用信号Ｓｆを生成して出力する。この場合、第１プローブＰＬａが接続されるべき被覆導線Ｌａに接続され（正しく被覆導線Ｌａに接続され）、かつ第２プローブＰＬｂが接続されるべき被覆導線Ｌｂに接続されて（正しく被覆導線Ｌｂに接続されて）いることから、信号生成部１５は、図３に示すように、この差分電圧（Ｖｄ１−Ｖｄ２）に基づいて、シリアルバスＳＢにＣＡＮフレーム（符号列）を構成する符号Ｃｓ（「１」）が伝送されている期間において高電位側電圧（レセッシブ）となり、符号Ｃｓ（「０」）が伝送されている期間において低電位側電圧（ドミナント）となる正しい符号特定用信号Ｓｆを生成して出力する。
【００５２】
また、処理部１６は、第２電圧信号Ｖｄ２に基づいて、計測処理、長短特定処理および判別処理を実行して、第１プローブＰＬａが接続されるべき被覆導線Ｌａに接続され、かつ第２プローブＰＬｂが接続されるべき被覆導線Ｌｂに接続されている接続状態（正しい接続状態）であるか、または第１プローブＰＬａが接続されるべきでない被覆導線Ｌｂに接続され、かつ第２プローブＰＬｂが接続されるべきでない被覆導線Ｌａに接続されている接続状態（誤接続状態）であるかを判別して、この判別結果を出力部１７に出力する。
【００５３】
まず、計測処理では、処理部１６は、予め規定された計測期間（図４に示すデータフレームを１つ以上必ず含む期間）において、第２電圧信号Ｖｄ２における高電位についての最長連続期間長ＴＳＨ、および第２電圧信号Ｖｄ２における低電位についての最長連続期間長ＴＳＬを計測する。
【００５４】
第１プローブＰＬａが接続されるべき被覆導線Ｌａに接続され、かつ第２プローブＰＬｂが接続されるべき被覆導線Ｌｂに接続されている接続状態（正しい接続状態）であることから、図３に示すように、第２電圧信号Ｖｄ２における高電位の期間は、符号特定用信号Ｓｆのレセッシブの期間に対応し、第２電圧信号Ｖｄ２における低電位の期間は、符号特定用信号Ｓｆのドミナントの期間に対応する。
【００５５】
また、図４に示すデータフレームの構成では、上記したように、ＥＯＦでは７ビット長に亘ってレセッシブが連続し、またバスアイドル期間でもレセッシブが連続することから、このレセッシブの期間に対応する第２電圧信号Ｖｄ２における高電位についての最長連続期間長ＴＳＨは必ず７ビット長以上になる。これに対して、ドミナントの期間に対応する第２電圧信号Ｖｄ２における低電位についての最長連続期間長ＴＳＬは、ドミナントが連続し得るＳＯＦからＣＲＣシーケンスの終わりまでの範囲において、ビットスタッフィングルール（同じデータの連続が最大で５ビットに規制されるルール）が適用されることから、最大でも５ビット長になる。
【００５６】
次いで、処理部１６は、長短特定処理を実行する。この長短特定処理では、処理部１６は、計測処理で計測した第２電圧信号Ｖｄ２における高電位についての最長連続期間長ＴＳＨと第２電圧信号Ｖｄ２における低電位についての最長連続期間長ＴＳＬとを比較して、最長連続期間長ＴＳＨおよび最長連続期間長ＴＳＬのいずれが長いかを示す長短関係（等価的に、いずれが短いかを示す長短関係でもある）を特定する。各プローブＰＬａ，ＰＬｂが接続されるべき被覆導線Ｌａ，Ｌｂに正しく接続されている状態においては、上記したように、最長連続期間長ＴＳＨは必ず７ビット長以上になるのに対して、最長連続期間長ＴＳＬは最大でも５ビット長であることから、処理部１６は、最長連続期間長ＴＳＨが長いとの現在の長短関係を特定する。
【００５７】
続いて、処理部１６は、判別処理を実行する。この判別処理では、処理部１６は、長短特定処理で特定した上記の現在の長短関係と、記憶されている基準長短関係とを比較して、一対のプローブＰＬａ，ＰＬｂがそれぞれ接続されるべき一対の被覆導線Ｌａ，Ｌｂに接続されているか否かを判別する。具体的には、処理部１６は、現在の長短関係が基準長短関係と一致しているときには、各プローブＰＬａ，ＰＬｂが接続されるべき被覆導線Ｌａ，Ｌｂに正しく接続されていると判別し、現在の長短関係が基準長短関係と一致していないときには、各プローブＰＬａ，ＰＬｂは接続されるべき被覆導線Ｌａ，Ｌｂに正しく接続されていない（誤接続されている）と判別する。また、処理部１６は、この判別した結果（判別結果）を出力部１７に出力する。
【００５８】
この場合の基準長短関係とは、各プローブＰＬａ，ＰＬｂが接続されるべき被覆導線Ｌａ，Ｌｂに正しく接続されている状態のときに長短特定処理において特定される長短関係であって、上記したように最長連続期間長ＴＳＨが長いとの長短関係となる。したがって、処理部１６には、最長連続期間長ＴＳＨが長いとの基準長短関係が予め記憶されている。
【００５９】
処理部１６は、この判別処理において、長短特定処理において特定した現在の長短関係（最長連続期間長ＴＳＨが長いとの長短関係）と、記憶されている基準長短関係（最長連続期間長ＴＳＨが長いとの長短関係）とを比較して、現在の長短関係が基準長短関係と一致していることから、各プローブＰＬａ，ＰＬｂが接続されるべき被覆導線Ｌａ，Ｌｂに正しく接続されていると判別して、その判別結果を出力部１７に出力する。これにより、出力部１７は、処理部１６から出力されるこの判別結果に基づいて、非発光状態に移行する。したがって、信号生成装置２Ａの使用者は、出力部１７が非発光状態であることに基づき、一対のプローブＰＬａ，ＰＬｂがそれぞれ接続されるべき一対の被覆導線Ｌａ，Ｌｂに接続されていることを確認することが可能となっている。
【００６０】
次に、図１，２に示す接続状態とは異なり、図示はしないが、使用者によって、第１プローブＰＬａが被覆導線Ｌｂに接続され、かつ第２プローブＰＬｂが被覆導線Ｌａに接続されているとき（つまり、誤接続状態のとき）には、信号生成装置２Ａの第１検出部１３では、インピーダンス素子１３ａは、被覆導線Ｌｂの電圧Ｖｂに応じて電圧が変化する電圧信号Ｖｃ１（つまり、電圧Ｖｂがベースの電圧のときに高電圧となり、電圧Ｖｂが低電圧の規定電圧のときに低電圧となるように変化する電圧信号。図３に示す電圧信号Ｖｃ１と位相が反転した電圧信号）を発生させ、アンプ１３ｂが、この電圧信号Ｖｃ１を非反転増幅して第１電圧信号Ｖｄ１を出力する。これにより、第１検出部１３は、シリアルバスＳＢにＣＡＮフレームを構成する符号Ｃｓ（「１」）が伝送されている期間において高電圧となり、符号Ｃｓ（「０」）が伝送されている期間において低電圧となる第１電圧信号Ｖｄ１を生成して出力する。
【００６１】
また、信号生成装置２Ａの第２検出部１４では、インピーダンス素子１４ａは、被覆導線Ｌａの電圧Ｖａに応じて電圧が変化する電圧信号Ｖｃ２（つまり、電圧Ｖａがベースの電圧のときに低電圧となり、電圧Ｖａが高電圧の規定電圧のときに高電圧となるように変化する電圧信号。図３に示す電圧信号Ｖｃ２と位相が反転した電圧信号）を発生させ、アンプ１４ｂが、この電圧信号Ｖｃ２を非反転増幅して第２電圧信号Ｖｄ２を出力する。これにより、第２検出部１４は、シリアルバスＳＢにＣＡＮフレームを構成する符号Ｃｓ（「１」）が伝送されている期間において低電圧となり、符号Ｃｓ（「０」）が伝送されている期間において高電圧となる第２電圧信号Ｖｄ２を生成して出力する。
【００６２】
次いで、信号生成部１５は、第１電圧信号Ｖｄ１および第２電圧信号Ｖｄ２を入力すると共に、各電圧信号Ｖｄ１，Ｖｄ２の差分電圧（Ｖｄ１−Ｖｄ２）に基づいて符号特定用信号Ｓｆを生成して出力する。この場合、第１電圧信号Ｖｄ１および第２電圧信号Ｖｄ２の各位相は、各プローブＰＬａ，ＰＬｂが被覆導線Ｌａ，Ｌｂに正しく接続されているときの位相に対して反転した状態となっていることから、差分電圧（Ｖｄ１−Ｖｄ２）の極性も各プローブＰＬａ，ＰＬｂが被覆導線Ｌａ，Ｌｂに正しく接続されているときの極性に対して逆極性となっている。したがって、信号生成部１５は、この差分電圧（Ｖｄ１−Ｖｄ２）に基づいて、シリアルバスＳＢにＣＡＮフレーム（符号列）を構成する符号Ｃｓ（「１」）が伝送されている期間において低電位側電圧（ドミナント）となり、符号Ｃｓ（「０」）が伝送されている期間において高電位側電圧（レセッシブ）となる正しくない（間違った）符号特定用信号Ｓｆ（図３に示す符号特定用信号Ｓｆとは、低電位側電圧（ドミナント）と高電位側電圧（レセッシブ）とが入れ替わった信号、つまり位相が反転した信号）を生成して出力する。
【００６３】
また、処理部１６は、第２電圧信号Ｖｄ２に基づいて、計測処理、長短特定処理および判別処理を実行して、各プローブＰＬａ，ＰＬｂが接続されるべき（対応する）被覆導線Ｌａ，Ｌｂに正しく接続されているか、誤接続されているかを判別して、この判別結果を出力部１７に出力する。
【００６４】
まず、計測処理では、処理部１６は、上記した計測期間において、第２電圧信号Ｖｄ２における高電位についての最長連続期間長ＴＳＨ、および第２電圧信号Ｖｄ２における低電位についての最長連続期間長ＴＳＬを計測する。
【００６５】
この場合、第２プローブＰＬｂは被覆導線Ｌａに誤接続されていることから、第２電圧信号Ｖｄ２は、被覆導線Ｌａの電圧Ｖａに対応して電圧が変化する電圧信号、つまり、図示はしないが、その高電位の期間が符号特定用信号Ｓｆのドミナントの期間に対応し、その低電位の期間が符号特定用信号Ｓｆのレセッシブの期間に対応する電圧信号となっている。
【００６６】
また、上記したように、データフレームでは、レセッシブの期間は必ず７ビット長以上になり、ドミナントの期間は最長でも５ビット長であることから、処理部１６は、この計測処理において、高電位についての最長連続期間長ＴＳＨとして最長でも５ビット長に止まることを計測し、低電位についての最長連続期間長ＴＳＬとして７ビット長以上になることを計測する。
【００６７】
次いで、処理部１６は、長短特定処理を実行する。この長短特定処理では、処理部１６は、計測処理で計測した第２電圧信号Ｖｄ２における高電位についての最長連続期間長ＴＳＨと第２電圧信号Ｖｄ２における低電位についての最長連続期間長ＴＳＬとを比較して、最長連続期間長ＴＳＨおよび最長連続期間長ＴＳＬのいずれが長いかを示す長短関係（等価的に、いずれが短いかを示す長短関係でもある）を特定する。各プローブＰＬａ，ＰＬｂが接続されるべき被覆導線Ｌａ，Ｌｂに正しく接続されていない状態（誤接続状態）においては、上記したように、最長連続期間長ＴＳＬは必ず７ビット長以上になるのに対して、最長連続期間長ＴＳＨは最大でも５ビット長であることから、処理部１６は、最長連続期間長ＴＳＬが長いとの現在の長短関係を特定する。
【００６８】
続いて、処理部１６は、判別処理を実行する。処理部１６は、この判別処理において、長短特定処理において特定した現在の長短関係（最長連続期間長ＴＳＬが長いとの長短関係）と、記憶されている基準長短関係（最長連続期間長ＴＳＨが長いとの長短関係）とを比較して、現在の長短関係が基準長短関係と一致していないことから、各プローブＰＬａ，ＰＬｂが接続されるべき被覆導線Ｌａ，Ｌｂに正しく接続されていない（誤接続状態である）と判別して、その判別結果を出力部１７に出力する。これにより、出力部１７は、処理部１６から出力されるこの判別結果に基づいて、発光状態に移行する。したがって、信号生成装置２Ａの使用者は、出力部１７が発光状態であることに基づき、各プローブＰＬａ，ＰＬｂが誤接続状態であることを確認することが可能となっている。
【００６９】
したがって、信号生成装置２Ａの使用者は、被覆導線Ｌａに接続されているプローブＰＬｂを被覆導線Ｌａから外して被覆導線Ｌｂに接続し、かつ被覆導線Ｌｂに接続されているプローブＰＬａを被覆導線Ｌｂから外して被覆導線Ｌａに接続して、各プローブＰＬａ，ＰＬｂの誤接続状態を解消することができる。
【００７０】
また、処理部１６は、第２電圧信号Ｖｄ２に基づく上記の計測処理、長短特定処理および判別処理を繰り返し実行していることから、プローブＰＬａ，ＰＬｂが被覆導線Ｌａ，Ｌｂに正しい接続状態で接続された時点で、信号生成装置２Ａでは出力部１７が非発光状態となる。これにより、信号生成装置２Ａの使用者は、プローブＰＬａ，ＰＬｂがそれぞれ接続されるべき被覆導線Ｌａ，Ｌｂに接続されていることを確認することができる。
【００７１】
このようにして、プローブＰＬａ，ＰＬｂは最終的には被覆導線Ｌａ，Ｌｂに正しい接続状態で接続される。これにより、信号読取システム１では、信号生成装置２Ａは、正しい符号特定用信号Ｓｆを生成して、符号化装置３に出力する。また、符号化装置３は、この正しい符号特定用信号Ｓｆに基づき、シリアルバスＳＢを介して伝送されているＣＡＮフレームを構成する符号Ｃｓを特定すると共に、特定した符号Ｃｓで構成される符号列を、シリアルバスＳＢを介して伝送されているＣＡＮフレームと特定して、各種ＣＡＮ通信対応機器に出力する。これにより、このＣＡＮ通信対応機器では、信号読取システム１から出力された（信号読取システム１によってシリアルバスＳＢから読み取られた）ＣＡＮフレーム（符号Ｃｓの列）に対応して予め規定されている各種の処理が実行される。
【００７２】
このように、この信号生成装置２Ａでは、プローブＰＬａを介して接続された被覆導線（被覆導線Ｌａ，Ｌｂのうちの一方）を介して伝送されている電圧（電圧Ｖａ，Ｖｂのうちの一方）に応じて電圧が変化する第１電圧信号Ｖｄ１を出力する第１検出部１３と、プローブＰＬｂを介して接続された被覆導線（被覆導線Ｌａ，Ｌｂのうちの他方）を介して伝送されている電圧（電圧Ｖａ，Ｖｂのうちの他方）に応じて電圧が変化する第２電圧信号Ｖｄ２を出力する第２検出部１４と、差分電圧（Ｖｄ１−Ｖｄ２）に基づいて符号特定用信号Ｓｆを生成する信号生成部１５と、第１電圧信号Ｖｄ１および第２電圧信号Ｖｄ２のうちの一方の電圧信号（上記の例では、第２電圧信号Ｖｄ２）における高電位についての最長連続期間長ＴＳＨおよび低電位についての最長連続期間長ＴＳＬを計測する計測処理、最長連続期間長ＴＳＨ，ＴＳＬの長短関係を特定する長短特定処理、および長短特定処理で特定した長短関係および基準長短関係を比較して各プローブＰＬａ，ＰＬｂの被覆導線Ｌａ，Ｌｂへの接続状態（正しい接続状態で接続されているか、誤接続状態で接続されているか否か）を判別すると共にこの判別結果を出力する判別処理とを実行する処理部１６を備えている。
【００７３】
したがって、この信号生成装置２Ａおよび信号読取システム１によれば、使用者が、処理部１６から出力される判別結果に基づき（上記の例では、この判別結果に応じて発光状態または非発光状態になる出力部１７を確認することにより）、各プローブＰＬａ，ＰＬｂが被覆導線Ｌａ，Ｌｂに正しい接続状態で接続されているか、誤接続状態で接続されているかを確実に知得（認識）することができ、誤接続状態のときには、プローブＰＬａ，ＰＬｂを被覆導線Ｌａ，Ｌｂに正しい接続状態となるように接続し直すこと（プローブＰＬａ，ＰＬｂを被覆導線Ｌａ，Ｌｂに正しい接続状態で確実に接続すること）ができる。したがって、この信号生成装置２Ａおよび信号読取システム１によれば、信号生成装置２Ａが正しい符号特定用信号Ｓｆを生成して出力することができ、符号化装置３が、この正しい符号特定用信号Ｓｆに基づいて、ロジック信号Ｓａによって示されている符号Ｃｓを正確に特定することができ、さらには特定した符号Ｃｓの列で構成されるＣＡＮフレームを正確に特定することができる。
【００７４】
なお、上記の信号生成装置２Ａでは、処理部１６が第２検出部１４から出力される第２電圧信号Ｖｄ２に基づいて、計測処理、長短特定処理および判別結果を実行する構成を採用しているが、処理部１６が第１検出部１３から出力される第１電圧信号Ｖｄ１に基づいて、計測処理、長短特定処理および判別結果を実行する構成を採用することもできる。この構成においても、各プローブＰＬａ，ＰＬｂが対応する被覆導線Ｌａ，Ｌｂに接続されているとき（正しい接続状態のとき）の長短特定処理での長短関係（この場合、最長連続期間長ＴＳＬが長いとの長短関係）を基準長短関係として処理部１６に予め記憶しておくことにより、処理部１６が、第１電圧信号Ｖｄ１における高電位についての最長連続期間長ＴＳＨおよび低電位についての最長連続期間長ＴＳＬを計測する計測処理、最長連続期間長ＴＳＨ，ＴＳＬの現在の長短関係を特定する長短特定処理、および長短特定処理で特定した現在の長短関係と基準長短関係とを比較して、一致しているときには各プローブＰＬａ，ＰＬｂが被覆導線Ｌａ，Ｌｂに正しい接続状態で接続されていると判別し、一致していないときには各プローブＰＬａ，ＰＬｂが被覆導線Ｌａ，Ｌｂに誤接続されていると判別すると共に判別結果を出力する判別処理とを実行して、判別結果を出力部１７に出力させることができる。
【００７５】
また、上記の信号読取システム１では、信号生成装置２Ａの処理部１６が、第１検出部１３から出力される第１電圧信号Ｖｄ１および第２検出部１４から出力される第２電圧信号Ｖｄ１のいずれかに基づき、上記の計測処理、長短特定処理および判別処理を実行して、プローブＰＬａ，ＰＬｂが被覆導線Ｌａ，Ｌｂに正しく接続されているか否かを判別する構成を採用しているが、この構成に限定されない。上記したように、符号化装置３は、各プローブＰＬａ，ＰＬｂが被覆導線Ｌａ，Ｌｂに誤接続されている状態において信号生成装置２Ａの信号生成部１５から出力される符号特定用信号Ｓｆ（図４に示す構成のデータフレームのドミナントとレセッシブとが反転した状態の信号）からはＣＡＮフレームを特定することができない。したがって、符号化装置３が、予め規定された期間（例えば、上記の計測期間と同じ期間）に亘ってＣＡＮフレームを特定することができないときには、その旨（ＣＡＮフレームを特定できない旨）を示すエラー信号を信号生成装置２Ａの出力部１７に出力するというエラー処理を実行し、信号生成装置２Ａの出力部１７が、このエラー信号を入力したときにその旨を表示する（例えば、発光状態に移行する）ことで、各プローブＰＬａ，ＰＬｂが被覆導線Ｌａ，Ｌｂに誤接続されていることを使用者に報知する、という構成を信号生成装置２Ａおよび信号読取システム１において採用することもできる。この構成では、信号生成装置２Ａは、上記した処理部１６を省くことが可能となる。
【００７６】
また、符号化装置３が実行する上記のエラー処理に相当する処理を、信号生成装置２Ａの処理部１６が実行する構成を採用することもできる。以下、この構成を採用した信号生成装置２Ｂについて、図５を参照して説明する。なお、上記した信号生成装置２Ａと同一の構成については同一の符号を付して重複する説明を省略する。
【００７７】
信号生成装置２Ｂは、図５に示すように、入力端子１１，１２、第１検出部１３、第２検出部１４、信号生成部１５、処理部１６および出力部１７を備え、入力端子１１に接続された第１プローブＰＬａ、および入力端子１２に接続された第２プローブＰＬｂを介して一対の被覆導線Ｌａ，Ｌｂに接続される。また、この信号生成装置２Ｂは、処理部１６以外の構成要素については、信号生成装置２Ａと同一に構成されている。
【００７８】
図５に示す信号生成装置２Ｂの処理部１６は、信号生成部１５から出力される符号特定用信号Ｓｆに基づいて符号Ｃｓおよび符号Ｃｓの複数個で構成される符号列（ＣＡＮフレーム）を特定する符号特定処理と、符号特定処理における符号列の特定状態に基づいて、一対のプローブＰＬａ，ＰＬｂがそれぞれ接続されるべき一対の被覆導線Ｌａ，Ｌｂに接続されているか否かを判別する判別処理とを実行する。具体的には、処理部１６は、この判別処理では、符号特定処理において符号列を特定できているとの特定状態のときには各プローブＰＬａ，ＰＬｂが接続されるべき被覆導線Ｌａ，Ｌｂに正しく接続されていると判別し、かつ符号特定処理において符号列を予め規定された期間に亘って特定できていないとの特定状態のときには各プローブＰＬａ，ＰＬｂが接続されるべき被覆導線Ｌａ，Ｌｂに正しく接続されていない（誤接続されている）と判別すると共に、判別結果を出力部１７に出力する判別処理とを実行する。
【００７９】
したがって、この信号生成装置２Ｂおよび信号読取システム１によっても、使用者が、処理部１６から出力される判別結果に基づき（上記の例では、この判別結果に応じて発光状態または非発光状態になる出力部１７を確認することにより）、各プローブＰＬａ，ＰＬｂが被覆導線Ｌａ，Ｌｂに正しい接続状態で接続されているか、誤接続状態で接続されているかを確実に知得（認識）することができ、誤接続状態のときには、プローブＰＬａ，ＰＬｂを入れ替えて被覆導線Ｌａ，Ｌｂに接続することで、プローブＰＬａ，ＰＬｂを被覆導線Ｌａ，Ｌｂに正しい接続状態で確実に接続することができる。したがって、この信号生成装置２Ｂおよび信号読取システム１によれば、信号生成装置２Ｂが正しい符号特定用信号Ｓｆを生成して出力することができ、符号化装置３が、この正しい符号特定用信号Ｓｆに基づいて、ロジック信号Ｓａによって示されている符号Ｃｓを正確に特定することができ、さらには特定した符号Ｃｓの列で構成されるＣＡＮフレームを正確に特定することができる。
【００８０】
また、上記の信号生成装置２Ａ，２Ｂでは、使用者が、処理部１６から出力される判別結果に基づき、各プローブＰＬａ，ＰＬｂが誤接続状態であることを知得したときには、正しい接続状態となるようにプローブＰＬａ，ＰＬｂを手動（手作業）で接続し直す構成を採用しているが、この構成に限定されない。例えば、２つの検出部１３，１４と信号生成部１５との間に、検出部１３，１４から出力される第１電圧信号Ｖｄ１および第２電圧信号Ｖｄ２を信号生成部１５の一対の入力端子１５ａ，１５ｂに切り替えて入力し得る信号切替部を配置することにより、各プローブＰＬａ，ＰＬｂが誤接続状態のとき（つまり、プローブＰＬａが被覆導線Ｌｂに接続され、かつプローブＰＬｂが被覆導線Ｌａに接続されているとき）であっても、信号切替部の切替状態を変更することで、信号生成部１５が算出する差分電圧の極性を、各プローブＰＬａ，ＰＬｂが正しい接続状態のときの電圧（Ｖｄ１−Ｖｄ２）と同等の極性に反転（修正）し得る構成を採用することもできる。まず、この構成を信号生成装置２Ａに適用して構成された信号生成装置２Ｃについて図６を参照して説明する。なお、信号生成装置２Ａと同一の構成については同一の符号を付して重複する説明を省略する。
【００８１】
まず、信号生成装置２Ｃの構成について説明する。信号生成装置２Ｃは、図６に示すように、入力端子１１，１２、第１検出部１３、第２検出部１４、信号生成部１５、処理部１６、出力部１７および信号切替部１８を備え、入力端子１１に接続された第１プローブＰＬａ、および入力端子１２に接続された第２プローブＰＬｂを介して一対の被覆導線Ｌａ，Ｌｂに接続される。この信号生成装置２Ｃでは、２つの検出部１３，１４の出力端子と信号生成部１５の入力端子１５ａ，１５ｂとの間に信号切替部１８が配設されている。
【００８２】
信号切替部１８は、一例として、２極双投形のスイッチ（２つのｃ接点回路１８ａ，１８ｂを内蔵するスイッチ）で構成されている。また、ｃ接点回路１８ａでは、ａ端子が第１検出部１３の出力端子に接続され、ｂ端子が信号生成部１５の入力端子１５ａに接続され、かつｃ端子が信号生成部１５の入力端子１５ｂに接続されている。また、ｃ接点回路１８ｂでは、ａ端子が第２検出部１４の出力端子に接続され、ｂ端子が信号生成部１５の入力端子１５ｂに接続され、かつｃ端子が信号生成部１５の入力端子１５ａに接続されている。また、ｃ接点回路１８ａ，１８ｂは、処理部１６から出力される切替信号Ｓｃに基づき、図６において実線で示すようにａ端子がｂ端子に接続される第１切替状態と、図６において破線で示すようにａ端子がｃ端子に接続される第２切替状態の任意の一方の切替状態に連動して切り替え可能に構成されている。
【００８３】
また、この信号生成装置２Ｃでは、信号生成部１５は、入力端子１５ａに入力される電圧から入力端子１５ｂに入力される電圧を減算することにより、符号特定用信号Ｓｆを生成するための差分電圧を算出する。したがって、信号生成部１５は、入力端子１５ａに第１電圧信号Ｖｄ１が入力され、かつ入力端子１５ｂに第２電圧信号Ｖｄ２が入力されているときには、差分電圧（Ｖｄ１−Ｖｄ２）を算出し、入力端子１５ａに第２電圧信号Ｖｄ２が入力され、かつ入力端子１５ｂに第１電圧信号Ｖｄ１が入力されているときには、誤った差分電圧（Ｖｄ２−Ｖｄ１）を算出する。
【００８４】
また、信号生成部１５は、被覆導線Ｌａ側に第１検出部１３が接続され、かつ被覆導線Ｌｂ側に第２検出部１４が接続されているときには、第１検出部１３から出力される第１電圧信号Ｖｄ１が信号切替部１８を介して入力端子１５ａに入力され、また第２検出部１４から出力される第２電圧信号Ｖｄ２が信号切替部１８を介して入力端子１５ｂに入力されているときに、算出した差分電圧（Ｖｄ１−Ｖｄ２）に基づいて正しい符号特定用信号Ｓｆを生成して出力する。また、信号生成部１５は、被覆導線Ｌａ側に第２検出部１４が接続され、かつ被覆導線Ｌｂ側に第１検出部１３が接続されているときには、第２検出部１４から出力される第２電圧信号Ｖｄ２が信号切替部１８を介して入力端子１５ａに入力され、また第１検出部１３から出力される第１電圧信号Ｖｄ１が信号切替部１８を介して入力端子１５ｂに入力されているときに、算出した差分電圧（Ｖｄ２−Ｖｄ１）に基づいて正しい符号特定用信号Ｓｆ（符号Ｃｓ（「１」）が伝送されている期間において高電位側電圧（レセッシブ）となり、符号Ｃｓ（「０」）が伝送されている期間において低電位側電圧（ドミナント）となる符号特定用信号Ｓｆ）を生成して出力する。
【００８５】
つまり、信号生成部１５は、第１検出部１３および第２検出部１４のうちの被覆導線Ｌａ側に接続されている一方の検出部から出力される電圧信号（第１電圧信号Ｖｄ１および第２電圧信号Ｖｄ２のうちの一方）が入力端子１５ａに入力され、かつ第１検出部１３および第２検出部１４のうちの被覆導線Ｌｂ側に接続されている他方の検出部から出力される電圧信号（第１電圧信号Ｖｄ１および第２電圧信号Ｖｄ２のうちの他方）が入力端子１５ｂに入力されているとき（信号生成装置２Ｃが被覆導線Ｌａ，Ｌｂに正しく接続されているとき）にのみ、算出した差分電圧に基づいて正しい符号特定用信号Ｓｆを生成して出力する。
【００８６】
また、この信号生成装置２Ｃでは、処理部１６は、信号生成部１５の各入力端子１５ａ，１５ｂのうちのいずれか一方に入力される電圧信号（本例では一例として、入力端子１５ｂに入力される電圧信号）に基づいて計測処理、長短特定処理および判別処理を実行して、各プローブＰＬａ，ＰＬｂの被覆導線Ｌａ，Ｌｂへの接続状態（正しい接続状態であるか、誤接続状態であるか）を判別する。また、処理部１６は、この判別の結果、誤接続状態であると判別したときには、信号切替部１８に対して、現在の切替状態を変更する切替信号Ｓｃを出力する切替処理を実行する。本例では一例として、処理部１６は、初期状態において、信号切替部１８に対して第１切替状態に移行させる切替信号Ｓｃを出力するように構成されているため、判別処理において誤接続状態（各プローブＰＬａ，ＰＬｂが被覆導線Ｌａ，Ｌｂに誤接続されている）と判別したときには、信号切替部１８に対して第２切替状態に移行させる切替信号Ｓｃを出力する切替処理を実行する。
【００８７】
また、処理部１６には、各プローブＰＬａ，ＰＬｂが被覆導線Ｌａ，Ｌｂに正しく接続されている状態（プローブＰＬａが被覆導線Ｌａに接続され、かつプローブＰＬｂが被覆導線Ｌｂに接続されている状態）であって、信号切替部１８が第１切替状態のとき（つまり、第１電圧信号Ｖｄ１が信号切替部１８のｃ接点回路１８ａを介して信号生成部１５の入力端子１５ａに入力され、第２電圧信号Ｖｄ２が信号切替部１８のｃ接点回路１８ｂを介して信号生成部１５の入力端子１５ｂに入力されているとき）において実行された長短特定処理において特定される長短関係（つまり、最長連続期間長ＴＳＨが長いとの長短関係）が基準長短関係として予め記憶されているものとする。
【００８８】
次に、信号生成装置２Ｃの動作について、図面を参照して説明する。
【００８９】
最初に、図６に示すように、使用者によって、第１プローブＰＬａが接続されるべき被覆導線Ｌａに接続され（正しく被覆導線Ｌａに接続され）、かつ第２プローブＰＬｂが接続されるべき被覆導線Ｌｂに接続され（正しく被覆導線Ｌｂに接続され）ているときには、信号生成装置２Ｃでは、第１検出部１３が、シリアルバスＳＢにＣＡＮフレームを構成する符号Ｃｓ（「１」）が伝送されている期間において低電圧となり、符号Ｃｓ（「０」）が伝送されている期間において高電圧となる第１電圧信号Ｖｄ１を生成して信号切替部１８に出力する。また、第２検出部１４が、シリアルバスＳＢにＣＡＮフレームを構成する符号Ｃｓ（「１」）が伝送されている期間において高電圧となり、符号Ｃｓ（「０」）が伝送されている期間において低電圧となる第２電圧信号Ｖｄ２を生成して信号切替部１８に出力する。
【００９０】
信号切替部１８は、処理部１６によって初期状態において第１切替状態（図６において実線で示される切替状態）に移行させられているため、入力した第１電圧信号Ｖｄ１を信号生成部１５の入力端子１５ａに出力し、入力した第２電圧信号Ｖｄ２を信号生成部１５の入力端子１５ｂに出力する。
【００９１】
次いで、信号生成部１５は、入力端子１５ａに第１電圧信号Ｖｄ１が入力され、かつ入力端子１５ｂに第２電圧信号Ｖｄ２が入力されているため、上記したように差分電圧（Ｖｄ１−Ｖｄ２）を算出すると共に、この差分電圧（Ｖｄ１−Ｖｄ２）に基づいて正しい符号特定用信号Ｓｆ（シリアルバスＳＢにＣＡＮフレーム（符号列）を構成する符号Ｃｓ（「１」）が伝送されている期間において高電位側電圧（レセッシブ）となり、符号Ｃｓ（「０」）が伝送されている期間において低電位側電圧（ドミナント）となる符号特定用信号Ｓｆ）を生成して出力する。
【００９２】
また、処理部１６は、第２電圧信号Ｖｄ２に基づいて、計測処理、長短特定処理および判別処理を実行して、判別処理での判別結果を出力部１７に出力する。
【００９３】
各プローブＰＬａ，ＰＬｂが接続されるべき被覆導線Ｌａ，Ｌｂに正しく接続されて、被覆導線Ｌｂの電圧Ｖｂに基づく第２電圧信号Ｖｄ２が入力端子１５ｂに入力されているとき（つまり、信号生成装置２Ｃが被覆導線Ｌａ，Ｌｂに正しく接続されているとき）には、信号生成装置２Ａの動作説明において述べたように、処理部１６は、計測処理で計測した第２電圧信号Ｖｄ２における高電位についての最長連続期間長ＴＳＨ、および第２電圧信号Ｖｄ２における低電位についての最長連続期間長ＴＳＬに基づき、長短特定処理において、最長連続期間長ＴＳＨが長い（最長連続期間長ＴＳＬよりも長い）との現在の長短関係を特定する。
【００９４】
これにより、処理部１６は、判別処理では、長短特定処理で特定した上記の現在の長短関係と、記憶されている基準長短関係とを比較して、現在の長短関係が基準長短関係と一致していることから、各プローブＰＬａ，ＰＬｂが接続されるべき被覆導線Ｌａ，Ｌｂに正しく接続されていると判別して、この判別した結果（判別結果）を出力部１７に出力すると共に、信号切替部１８に対する新たな切替処理は実行せずに、現在の第１切替状態を維持させる。これにより、入力端子１５ａに第１電圧信号Ｖｄ１が信号切替部１８を介して継続して入力され、かつ入力端子１５ｂに第２電圧信号Ｖｄ２が信号切替部１８を介して継続して入力されるため、信号生成部１５は、差分電圧（Ｖｄ１−Ｖｄ２）を継続して算出すると共に、この差分電圧（Ｖｄ１−Ｖｄ２）に基づいて正しい符号特定用信号Ｓｆを継続して生成して出力する。また、出力部１７は処理部１６から出力されるこの判別結果に基づいて非発光状態に移行することから、信号生成装置２Ｃの使用者は、出力部１７が非発光状態であることに基づき、各プローブＰＬａ，ＰＬｂがそれぞれ接続されるべき被覆導線Ｌａ，Ｌｂに接続されていることを確認することが可能となっている。
【００９５】
次に、図６に示す接続状態とは異なり、図示はしないが、使用者によって、第１プローブＰＬａが被覆導線Ｌｂに接続され、かつ第２プローブＰＬｂが被覆導線Ｌａに接続されているとき（つまり、誤接続状態のとき）には、信号生成装置２Ｃでは、第１検出部１３がプローブＰＬａを介して被覆導線Ｌｂに接続されていることから、第１検出部１３は、正しい接続状態のときとは異なり、シリアルバスＳＢにＣＡＮフレームを構成する符号Ｃｓ（「１」）が伝送されている期間において高電圧となり、符号Ｃｓ（「０」）が伝送されている期間において低電圧となる第１電圧信号Ｖｄ１を生成して信号切替部１８に出力する。また、第２検出部１４がプローブＰＬｂを介して被覆導線Ｌａに接続されていることから、第２検出部１４もまた正しい接続状態のときとは異なり、シリアルバスＳＢにＣＡＮフレームを構成する符号Ｃｓ（「１」）が伝送されている期間において低電圧となり、符号Ｃｓ（「０」）が伝送されている期間において高電圧となる第２電圧信号Ｖｄ２を生成して信号切替部１８に出力する。
【００９６】
信号切替部１８は、処理部１６によって初期状態において第１切替状態（図６において実線で示される切替状態）に移行させられているため、入力した第１電圧信号Ｖｄ１を信号生成部１５の入力端子１５ａに出力し、入力した第２電圧信号Ｖｄ２を信号生成部１５の入力端子１５ｂに出力する。
【００９７】
次いで、信号生成部１５は、上記したように入力端子１５ａには、ＣＡＮフレームを構成する符号Ｃｓ（「１」）が伝送されている期間における電圧と、符号Ｃｓ（「０」）が伝送されている期間における電圧との高低関係が、正しい接続状態のとき（プローブＰＬａ，ＰＬｂが正しく接続されているとき）とは逆になる第１電圧信号Ｖｄ１が入力され、また入力端子１５ｂにも、ＣＡＮフレームを構成する符号Ｃｓ（「１」）が伝送されている期間における電圧と、符号Ｃｓ（「０」）が伝送されている期間における電圧との高低関係が、正しい接続状態のときとは逆になる第２電圧信号Ｖｄ２が入力される。これにより、信号生成部１５は、正しい接続状態のときとは極性の異なる差分電圧（Ｖｄ１−Ｖｄ２）を算出すると共に、この差分電圧（Ｖｄ１−Ｖｄ２）に基づいて誤った符号特定用信号Ｓｆ（シリアルバスＳＢにＣＡＮフレーム（符号列）を構成する符号Ｃｓ（「１」）が伝送されている期間において低電位側電圧（ドミナント）となり、符号Ｃｓ（「０」）が伝送されている期間において高電位側電圧（レセッシブ）となる符号特定用信号Ｓｆ）を生成して出力する。
【００９８】
また、処理部１６は、第２電圧信号Ｖｄ２に基づいて、計測処理、長短特定処理および判別処理を実行して、判別処理での判別結果を出力部１７に出力する（出力部１７は発光状態に移行する）。
【００９９】
各プローブＰＬａ，ＰＬｂが接続されるべき被覆導線Ｌａ，Ｌｂに正しく接続されておらず、被覆導線Ｌａの電圧Ｖａに基づく第２電圧信号Ｖｄ２が入力端子１５ｂに入力されているときには、処理部１６は、計測処理で計測した第２電圧信号Ｖｄ２における高電位についての最長連続期間長ＴＳＨ、および第２電圧信号Ｖｄ２における低電位についての最長連続期間長ＴＳＬに基づき、長短特定処理において、最長連続期間長ＴＳＬが長い（最長連続期間長ＴＳＨよりも長い）との現在の長短関係を特定する。
【０１００】
これにより、処理部１６は、判別処理では、長短特定処理で特定した上記の現在の長短関係と、記憶されている基準長短関係とを比較して、現在の長短関係が基準長短関係と一致していないことから、各プローブＰＬａ，ＰＬｂが接続されるべき被覆導線Ｌａ，Ｌｂに正しく接続されていないと判別して、この判別した結果（判別結果）を出力部１７に出力すると共に、信号切替部１８に対する新たな切替処理（切替信号Ｓｃを出力して、現在の第１切替状態から第２切替状態に切り替える処理）を実行する。
【０１０１】
第２切替状態に移行した信号切替部１８は、プローブＰＬａを介して被覆導線Ｌｂに接続されている第１検出部１３から出力されている第１電圧信号Ｖｄ１を信号生成部１５の入力端子１５ｂに出力し、プローブＰＬｂを介して被覆導線Ｌａに接続されている第２検出部１４から出力されている第２電圧信号Ｖｄ２を信号生成部１５の入力端子１５ａに出力する。
【０１０２】
したがって、信号生成部１５では、被覆導線Ｌａの電圧Ｖａに基づく第２電圧信号Ｖｄ２が入力端子１５ａに入力され、かつ被覆導線Ｌｂの電圧Ｖｂに基づく第１電圧信号Ｖｄ１が入力端子１５ｂに入力される状態になることから、正しい接続状態のときと極性の一致する差分電圧（Ｖｄ２−Ｖｄ１）を算出すると共に、この差分電圧（Ｖｄ２−Ｖｄ１）に基づいて正しい符号特定用信号Ｓｆ（シリアルバスＳＢにＣＡＮフレーム（符号列）を構成する符号Ｃｓ（「１」）が伝送されている期間において高電位側電圧（レセッシブ）となり、符号Ｃｓ（「０」）が伝送されている期間において低電位側電圧（ドミナント）となる符号特定用信号Ｓｆ）を生成して出力する。
【０１０３】
また、処理部１６は、信号生成部１５の入力端子１５ｂに入力される電圧信号に基づく上記の計測処理、長短特定処理および判別処理を繰り返し実行していることから、被覆導線Ｌｂの電圧Ｖｂに基づく第１電圧信号Ｖｄ１が入力端子１５ｂに入力される状態になった時点で、各プローブＰＬａ，ＰＬｂが接続されるべき被覆導線Ｌａ，Ｌｂに正しく接続されているとき（被覆導線Ｌｂの電圧Ｖｂに基づく第２電圧信号Ｖｄ２が入力端子１５ｂに入力されているとき）と同じ長短関係になる最長連続期間長ＴＳＨおよび最長連続期間長ＴＳＬ（最長連続期間長ＴＳＨが最長連続期間長ＴＳＬよりも長い長短関係になる各期間長ＴＳＨ，ＴＳＬ）を計測処理において計測する。
【０１０４】
これにより、処理部１６は、長短特定処理において、最長連続期間長ＴＳＨが長い（最長連続期間長ＴＳＬよりも長い）との現在の長短関係を特定し、判別処理において、長短特定処理において特定した現在の長短関係（最長連続期間長ＴＳＨが長いとの長短関係）と、記憶されている基準長短関係（最長連続期間長ＴＳＨが長いとの長短関係）とを比較して、現在の長短関係が基準長短関係と一致していることから、各プローブＰＬａ，ＰＬｂが接続されるべき被覆導線Ｌａ，Ｌｂに正しく接続されている（つまり、被覆導線Ｌａの電圧Ｖａに基づく電圧信号（本例では第２電圧信号Ｖｄ２）が入力端子１５ａに入力され、かつ被覆導線Ｌｂの電圧Ｖｂに基づく電圧信号（本例では第１電圧信号Ｖｄ１）が入力端子１５ｂに入力される接続状態である）と判別して、その判別結果を出力部１７に出力する（これにより、出力部１７は、発光状態から非発光状態に移行する）。
【０１０５】
また、処理部１６は、信号切替部１８に対する新たな切替処理は実行せずに、現在の第２切替状態を維持させる。これにより、入力端子１５ａに第２電圧信号Ｖｄ２が信号切替部１８を介して継続して入力され、かつ入力端子１５ｂに第１電圧信号Ｖｄ１が信号切替部１８を介して継続して入力されるため、信号生成部１５は、差分電圧（Ｖｄ２−Ｖｄ１）を継続して算出すると共に、この差分電圧（Ｖｄ２−Ｖｄ１）に基づいて正しい符号特定用信号Ｓｆを継続して生成して出力する。
【０１０６】
このように、この信号生成装置２Ｃによれば、被覆導線Ｌａに本来接続されるべきプローブＰＬａが被覆導線Ｌｂに接続され、かつ被覆導線Ｌｂに本来接続されるべきプローブＰＬｂが被覆導線Ｌａに接続されている誤接続状態であっても、処理部１６が、この誤接続状態を判別して、信号切替部１８に対して現在の切替状態から別の切替状態（本例では、第１切替状態から第２切替状態）に切り替える切替処理を実行することで、被覆導線Ｌａの電圧Ｖａに基づく第２電圧信号Ｖｄ２が信号生成部１５の入力端子１５ａに入力され、かつ被覆導線Ｌｂの電圧Ｖｂに基づく第１電圧信号Ｖｄ１が入力端子１５ｂに入力される接続状態（結果として、正しい接続状態）に自動的に切り替えることができる。したがって、この信号生成装置２Ｃによれば、使用者が正しい接続状態となるようにプローブＰＬａ，ＰＬｂを手動（手作業）で接続し直す作業を省きつつ（使用者による手動作業を完全に不要にしつつ）、正しい符号特定用信号Ｓｆを生成して出力することができる。
【０１０７】
なお、この信号生成装置２Ｃは、各プローブＰＬａ，ＰＬｂが被覆導線Ｌａ，Ｌｂに誤接続されている状態であっても、処理部１６が上記のようにして動作することにより、正しい符号特定用信号Ｓｆを生成し得る状態に自動的に移行できることから、誤接続状態を使用者に報知するために出力部１７を発光状態に移行させる処理の実行、および出力部１７を省く構成を採用することもできる。
【０１０８】
また、検出部１３，１４から出力される第１電圧信号Ｖｄ１および第２電圧信号Ｖｄ２を信号生成部１５の各入力端子１５ａ，１５ｂに切り替えて入力し得る信号切替部１８を配置する構成を信号生成装置２Ａに適用して構成された信号生成装置２Ｃについて上記したが、この信号切替部１８を配置する構成を信号生成装置２Ｂに適用して、図７に示す信号生成装置２Ｄとして構成することもできる。なお、信号生成装置２Ｂ，２Ｃと同一の構成については同一の符号を付して重複する説明を省略する。
【０１０９】
この信号生成装置２Ｄにおいても、処理部１６が、信号生成部１５から出力される符号特定用信号Ｓｆに基づいて符号Ｃｓおよび符号Ｃｓの複数個で構成される符号列（ＣＡＮフレーム）を特定する符号特定処理において、予め規定された期間に亘って符号列を特定できていないと判別したときに、信号生成装置２Ｃの処理部１６と同様にして、信号切替部１８を第１切替状態から第２切替状態に切り替える切替処理を実行する。これにより、信号生成装置２Ｄでも、被覆導線Ｌａの電圧Ｖａに基づく第２電圧信号Ｖｄ２が信号生成部１５の入力端子１５ａに入力され、かつ被覆導線Ｌｂの電圧Ｖｂに基づく第１電圧信号Ｖｄ１が入力端子１５ｂに入力される接続状態（結果として、正しい接続状態）に自動的に切り替えることができる。したがって、この信号生成装置２Ｄにおいても、使用者が正しい接続状態となるようにプローブＰＬａ，ＰＬｂを手動（手作業）で接続し直す作業を省きつつ（使用者による手動作業を完全に不要にしつつ）、正しい符号特定用信号Ｓｆを生成して出力することができる。
【０１１０】
なお、上記の信号生成装置２Ｃ，２Ｄでは、処理部１６が判別結果に基づいて信号切替部１８に対する切替処理を実行すること（つまり、自動切替を行うこと）により、使用者による手動作業を完全に不要にし得る構成を採用しているが、これに限定されるものではない。図示はしないが、例えば、使用者が手動で操作する操作スイッチ（切替スイッチ）を信号生成装置に設けて、信号切替部１８がこの操作スイッチの切替状態に対応して、接続状態を切り替える構成（つまり、手動切替の構成）を採用することもできる。この構成を採用した信号生成装置においても、使用者が、出力部１７に出力される判別結果に応じて操作スイッチを操作するだけで、被覆導線Ｌａの電圧Ｖａに基づく第２電圧信号Ｖｄ２が信号生成部１５の入力端子１５ａに入力され、かつ被覆導線Ｌｂの電圧Ｖｂに基づく第１電圧信号Ｖｄ１が入力端子１５ｂに入力される接続状態（結果として、正しい接続状態）に切り替えることができる。したがって、この信号生成装置によっても、使用者が正しい接続状態となるようにプローブＰＬａ，ＰＬｂを手動（手作業）で接続し直す作業を省きつつ、正しい符号特定用信号Ｓｆを生成して出力することができる。
【０１１１】
また、上記の信号読取システム１では、信号生成装置２Ａ，２Ｂ，２Ｃ，２Ｄが、「高電位期間」および「低電位期間」の配列パターンがシリアルバスＳＢを介して伝送されているロジック信号Ｓａのロジックパターン（つまり、電位差（Ｖａ−Ｖｂ）の大小のパターン）と一致する符号特定用信号Ｓｆを生成して出力すると共に、符号化装置３が、符号特定用信号Ｓｆにおける高電位期間を２進数データの「１」とし、かつ符号特定用信号Ｓｆにおける低電位期間を２進数データの「０」とする符号化処理を実行して符号列Ｃｓ（ＣＡＮフレーム）を特定する構成を採用したが、図示はしないが、信号生成装置２Ａ，２Ｂ，２Ｃ，２Ｄが、「高電位期間」および「低電位期間」の配列パターンがシリアルバスＳＢを介して伝送されているロジック信号Ｓａのロジックパターン（電位差（Ｖａ−Ｖｂ）の大小のパターン）と反転する符号特定用信号（上記した符号特定用信号Ｓｆと位相が反転した信号）を生成して出力すると共に、符号化装置３が、この符号特定用信号における低電位期間を２進数データの「１」とし、かつこの符号特定用信号における高電位期間を２進数データの「０」とする符号化処理を実行して符号列Ｃｓ（ＣＡＮフレーム）を特定する構成を採用することもできる。
【０１１２】
また、上記の例では、通信路を構成する一対の信号線が一対の被覆導線Ｌａ，Ｌｂで構成されて、信号生成装置２Ａ，２Ｂ，２Ｃ，２Ｄが、金属非接触型のプローブである第１プローブＰＬａおよび第２プローブＰＬｂを介してこの被覆導線Ｌａ，Ｌｂに接続される構成を採用しているが、通信路を構成する一対の信号線は一対の被覆導線に限定されず、プローブの接続部位において金属部（芯線）が露出した導線であってもよい。この場合、信号生成装置２Ａ，２Ｂ，２Ｃ，２Ｄは、図示はしないが、一般的な接触式のプローブとして構成された第１プローブＰＬａおよび第２プローブＰＬｂを介して一対の信号線に接続される構成を採用することができる。
【０１１３】
また、上記の例では、出力部１７を表示装置で構成して、処理部１６から出力された判別結果が誤接続状態を示すものであるときにのみ表示装置を発光状態に移行させることで、使用者に対して誤接続状態であることを報知するようにしているが、この構成に限定されない。例えば、処理部１６から出力された判別結果が誤接続状態を示すものであるときにのみ表示装置を非発光状態に移行させ、誤接続状態が解消されたときに表示装置を発光状態に移行させる構成を採用することもできる。また、処理部１６から出力された判別結果の内容に基づいて発光状態を変える構成、例えば、判別結果の内容に誤接続状態を示すものであるときには、点滅する発光状態に表示装置を移行させ、判別結果の内容に正しい接続状態を示すものであるときには、連続点灯する発光状態に表示装置を移行させる構成を採用することもできる。
【０１１４】
また、出力部１７を構成する表示装置として、図８に示すように、第１検出部１３に対応する第１表示器１７ａ、および第２検出部１４に対応する第２表示器１７ｂを有し、処理部１６が、判別処理での判別の結果（判別結果）に基づいて、第１検出部１３に対応する一方のプローブＰＬａおよび第２検出部１４に対応する他方のプローブＰＬｂの各々がＣＡＮＨｉｇｈ（CANH）の被覆導線Ｌａ（高電位側信号線）およびＣＡＮＬｏｗ（CANL）の被覆導線Ｌｂ（低電位側信号線）のうちのいずれの信号線に接続されているかを判別すると共に、一方のプローブＰＬａが接続されていると判別された信号線を示す情報を第１表示器１７ａに表示させると共に、他方のプローブＰＬｂが接続されていると判別された信号線を示す情報を第２表示器１７ｂに表示させる構成を採用することもできる。なお、この構成の表示装置は、誤接続状態を示す上記の表示装置と共に、またはこの表示装置に代えて配設することができる。
【０１１５】
まず、この構成を採用した信号生成装置２Ａ，２Ｂ，２Ｃ，２Ｄの構成について説明する。なお、基本的な構成は、上記した信号生成装置２Ａ，２Ｂ，２Ｃ，２Ｄの構成と同じであるため、相違する構成（第１表示器１７ａおよび第２表示器１７ｂ）についてのみ説明し、同じ構成については同じ符号を付して重複する説明を省略する。
【０１１６】
具体的には、第１表示器１７ａは、例えば、それぞれが発光ダイオードで構成された２つの表示器１７ａ１，１７ａ２を有して構成されている。また、表示器１７ａ１，１７ａ２は、第１検出部１３に対応する位置に（本例では、第１検出部１３に対応する入力端子１１の近傍であって、目視し得る位置に）配設されている。また、表示器１７ａ１，１７ａ２のうちの表示器１７ａ１は、被覆導線Ｌａ（高電位側信号線）に対応する表示器であることから、このことを示すシンボル（例えば、「Ｈ」の文字）が近傍に表示され、また表示器１７ａ２は、被覆導線Ｌｂ（低電位側信号線）に対応する表示器であることから、このことを示すシンボル（例えば、「Ｌ」の文字）が近傍に表示されている。
【０１１７】
また、第２表示器１７ｂは、例えば、それぞれが発光ダイオードで構成された２つの表示器１７ｂ１，１７ｂ２を有して構成されている。また、表示器１７ｂ１，１７ｂ２は、第２検出部１４に対応する位置に（本例では、第２検出部１４に対応する入力端子１２の近傍であって、目視し得る位置に）配設されている。また、表示器１７ｂ１，１７ｂ２のうちの表示器１７ｂ１は、被覆導線Ｌａ（高電位側信号線）に対応する表示器であることから、このことを示すシンボル（例えば、「Ｈ」の文字）が近傍に表示され、また表示器１７ｂ２は、被覆導線Ｌｂ（低電位側信号線）に対応する表示器であることから、このことを示すシンボル（例えば、「Ｌ」の文字）が近傍に表示されている。
【０１１８】
次いで、各表示器１７ａ，１７ｂを備えた信号生成装置２Ａ，２Ｂ，２Ｃ，２Ｄの動作について説明する。なお、各表示器１７ａ，１７ｂを備えた信号生成装置２Ａ，２Ｂと、各表示器１７ａ，１７ｂを備えた信号生成装置２Ｃ，２Ｄとで動作が異なるため、信号生成装置２Ａ，２Ｂと、信号生成装置２Ｃ，２Ｄとに分けて動作を説明する。
【０１１９】
最初に、各表示器１７ａ，１７ｂを備えた信号生成装置２Ａ，２Ｂでは、処理部１６は、判別処理において、正しい接続状態（つまり、第１プローブＰＬａが被覆導線Ｌａに接続され、かつ第２プローブＰＬｂが被覆導線Ｌｂに接続されている接続状態）であると判別したときには、第１プローブ（一方のプローブ）ＰＬａが接続されていると判別された信号線を示す情報を第１表示器１７ａに表示させる（つまり、「Ｈ」の文字が近傍に表示されている表示器１７ａ１を点灯させ、「Ｌ」の文字が近傍に表示されている表示器１７ａ２を消灯させることで、被覆導線Ｌａを示す情報を表示させる）と共に、第２プローブ（他方のプローブ）ＰＬｂが接続されていると判別された信号線を示す情報を第２表示器１７ｂに表示させる（つまり、「Ｈ」の文字が近傍に表示されている表示器１７ｂ１を消灯させ、「Ｌ」の文字が近傍に表示されている表示器１７ｂ２を点灯させることで、被覆導線Ｌｂを示す情報を表示させる）。
【０１２０】
また、処理部１６は、判別処理において、誤接続状態（つまり、第１プローブＰＬａが被覆導線Ｌｂに接続され、かつ第２プローブＰＬｂが被覆導線Ｌａに接続されている接続状態）であると判別したときには、第１プローブ（一方のプローブ）ＰＬａが接続されていると判別された信号線を示す情報を第１表示器１７ａに表示させる（つまり、「Ｈ」の文字が近傍に表示されている表示器１７ａ１を消灯させ、「Ｌ」の文字が近傍に表示されている表示器１７ａ２を点灯させることで、被覆導線Ｌｂを示す情報を表示させる）と共に、第２プローブ（他方のプローブ）ＰＬｂが接続されていると判別された信号線を示す情報を第２表示器１７ｂに表示させる（つまり、「Ｈ」の文字が近傍に表示されている表示器１７ｂ１を点灯させ、「Ｌ」の文字が近傍に表示されている表示器１７ｂ２を消灯させることで、被覆導線Ｌａを示す情報を表示させる）。
【０１２１】
この構成により、この信号生成装置２Ａ，２Ｂによれば、第１表示器１７ａに表示されている情報（表示器１７ａ１，１７ａ２のいずれが点灯しているかで示される情報）、および第２表示器１７ｂに表示されている情報（表示器１７ｂ１，１７ｂ２のいずれが点灯しているかで示される情報）に基づいて、第１検出部１３に対応する第１プローブＰＬａが被覆導線Ｌａ，Ｌｂのいずれに接続され、また第２検出部１４に対応する第２プローブＰＬｂが被覆導線Ｌａ，Ｌｂのいずれに接続されているかを使用者に報知することができる。
【０１２２】
次に、各表示器１７ａ，１７ｂを備えた信号生成装置２Ｃ，２Ｄでは、処理部１６は、最初に実行した判別処理の判別結果に基づき、信号切替部１８に対する切替処理の実行が必要な場合は、切替処理を実行すると共に、再度、判別処理を実行するが、上記の最初に実行した判別処理において、正しい接続状態（つまり、第１プローブＰＬａが被覆導線Ｌａに接続され、かつ第２プローブＰＬｂが被覆導線Ｌｂに接続されている接続状態）であると判別したときには、第１プローブ（一方のプローブ）ＰＬａが接続されていると判別された信号線を示す情報を第１表示器１７ａに表示させる（つまり、「Ｈ」の文字が近傍に表示されている表示器１７ａ１を点灯させ、「Ｌ」の文字が近傍に表示されている表示器１７ａ２を消灯させることで、被覆導線Ｌａを示す情報を表示させる）と共に、第２プローブ（他方のプローブ）ＰＬｂが接続されていると判別された信号線を示す情報を第２表示器１７ｂに表示させる（つまり、「Ｈ」の文字が近傍に表示されている表示器１７ｂ１を消灯させ、「Ｌ」の文字が近傍に表示されている表示器１７ｂ２を点灯させることで、被覆導線Ｌｂを示す情報を表示させる）。
【０１２３】
また、処理部１６は、上記の最初に実行した判別処理において、誤接続状態（つまり、第１プローブＰＬａが被覆導線Ｌｂに接続され、かつ第２プローブＰＬｂが被覆導線Ｌａに接続されている接続状態）であると判別したときには、第１プローブ（一方のプローブ）ＰＬａが接続されていると判別された信号線を示す情報を第１表示器１７ａに表示させる（つまり、「Ｈ」の文字が近傍に表示されている表示器１７ａ１を消灯させ、「Ｌ」の文字が近傍に表示されている表示器１７ａ２を点灯させることで、被覆導線Ｌｂを示す情報を表示させる）と共に、第２プローブ（他方のプローブ）ＰＬｂが接続されていると判別された信号線を示す情報を第２表示器１７ｂに表示させる（つまり、「Ｈ」の文字が近傍に表示されている表示器１７ｂ１を点灯させ、「Ｌ」の文字が近傍に表示されている表示器１７ｂ２を消灯させることで、被覆導線Ｌａを示す情報を表示させる）。また、処理部１６は、その後に再度実行する判別処理での判別結果に拘わらず、各表示器１７ａ，１７ｂに表示させる情報の内容を維持する。
【０１２４】
この構成により、この信号生成装置２Ｃ，２Ｄによれば、第１表示器１７ａに表示されている情報（表示器１７ａ１，１７ａ２のいずれが点灯しているかで示される情報）、および第２表示器１７ｂに表示されている情報（表示器１７ｂ１，１７ｂ２のいずれが点灯しているかで示される情報）に基づいて、第１検出部１３に対応する第１プローブＰＬａが被覆導線Ｌａ，Ｌｂのいずれに接続され、また第２検出部１４に対応する第２プローブＰＬｂが被覆導線Ｌａ，Ｌｂのいずれに接続されているかを使用者に報知することができる。
【０１２５】
また、上記の例では、判別結果を信号生成装置２Ａ，２Ｂ，２Ｃ，２Ｄに配設された出力部１７にのみ出力する構成を採用しているが、例えば、出力部１７に外部インターフェース回路を設けて、外部インターフェース回路を介して伝送路（有線や無線の伝送路）で接続された外部装置にもこの判別結果を出力する構成を採用することもできる。
【０１２６】
また、上記の信号生成装置２Ａ，２Ｂ，２Ｃ，２Ｄはいずれも、上記した構成（先端部側（自由端部側）に電極部２１ａ，２１ｂが配設された構成）の第１プローブＰＬａおよび第２プローブＰＬｂを介して、シリアルバスＳＢを構成する被覆導線Ｌａ，Ｌｂに接続される構成である。このため、この第１プローブＰＬａおよび第２プローブＰＬｂを備えた信号生成装置２Ａ，２Ｂ，２Ｃ，２Ｄ、およびこれらのうちのいずれかを備えた信号読取システム１では、各電極部２１ａ，２１ｂが一体的に形成されている構成のプローブを備えた構成とは異なり、図９に示すように、電極部２１ａ，２１ｂをシリアルバスＳＢにおける長手方向（長さ方向）Ｗに沿って離間する任意の２つの位置（同図に示すように、電極部２１ａは、一般的に互いにツイストされている（撚り合わされている）被覆導線Ｌａ，Ｌｂのうちの被覆導線Ｌａの第１の位置Ｐ１に、電極部２１ｂはシリアルバスＳＢを構成する被覆導線Ｌｂの第２の位置Ｐ２）に装着して使用することができる。このため、図示はしないが、各電極部２１ａ，２１ｂが一体的に形成されていて、シリアルバスＳＢにおける長手方向Ｗに沿った同じ位置に取り付ける構成（ツイストされている被覆導線Ｌａ，Ｌｂをこの位置において解いて、電極部２１ａ，２１ｂを取付可能な距離だけ離す作業と、電極部２１ａ，２１ｂをこの位置における対応する被覆導線Ｌａ，Ｌｂに同時に取り付ける作業とを行う必要がある構成）のプローブを備えた構成とは異なり、各電極部２１ａ，２１ｂを、それぞれが取り付け易い各位置Ｐ１，Ｐ２においてツイストされている被覆導線Ｌａ，Ｌｂを解いて取り付けることができる。また、各電極部２１ａ，２１ｂをシリアルバスＳＢにおける長手方向Ｗに沿った別の位置Ｐ１，Ｐ２に取り付ける構成のため、ツイストされている被覆導線Ｌａ，Ｌｂを各位置Ｐ１，Ｐ２において解く量を少なくすることができる。したがって、信号読取システム１によれば、各電極部２１ａ，２１ｂのシリアルバスＳＢへの装着を確実に行えると共に、装着に要する時間の短縮も図ること（装着性を高めること）ができる。
【０１２７】
また、各プローブＰＬａ，ＰＬｂを共通の１つのコネクタを介して信号生成装置２Ａ，２Ｂ，２Ｃ，２Ｄに接続するようにし、かつ各プローブＰＬａ，ＰＬｂにおける各基端部側の部位（例えば図９に示す部位Ｘ）を、電極部２１ａ，２１ｂ側の部位をある程度露出させた状態のままで熱収縮チューブなどで一本化する（まとめる）ようにしてもよい。また、図９の信号読取システム１では、各プローブＰＬａ，ＰＬｂの基端部側をそれぞれ信号生成装置２Ａ，２Ｂ，２Ｃ，２Ｄに接続する構成を採用しているが、この構成に限定されるものではない。
【０１２８】
例えば、図１０に示す信号読取システム１のように、２芯シールド線ＣＢｃを介して信号生成装置２Ａ，２Ｂ，２Ｃ，２Ｄに接続された接続ボックスなどの接続部５１に、各プローブＰＬａ，ＰＬｂの基端部側をそれぞれ接続する構成を採用することもできる。この構成では、２芯シールド線ＣＢｃは、基端部側が不図示のコネクタを介して信号生成装置２Ａ，２Ｂ，２Ｃ，２Ｄに接続されると共に、２つの芯線がこのコネクタを介して信号生成装置２Ａ，２Ｂ，２Ｃ，２Ｄ内の各インピーダンス素子１３ａ，１４ａに接続されると共に、不図示のシールドがコネクタを介して信号生成装置２Ａ，２Ｂ，２Ｃ，２Ｄ内のグランドＧに接続されている。また、接続部５１は、２芯シールド線ＣＢｃの自由端側に接続されている。この場合、接続部５１内には、２芯シールド線ＣＢｃに含まれてインピーダンス素子１３ａに接続される一方の芯線を、対応する第１プローブＰＬａを構成するシールドケーブルの芯線に接続し、２芯シールド線ＣＢｃに含まれてインピーダンス素子１４ａに接続される他方の芯線を、対応する第２プローブＰＬｂを構成するシールドケーブルの芯線に接続し、かつ２芯シールド線ＣＢｃのシールドを、各プローブＰＬａ，ＰＬｂを構成する各シールドケーブルのシールドに接続する不図示の接続回路が内蔵されている。
【０１２９】
この図１０に示す信号読取システム１においても、別体に形成された一対のプローブＰＬａ，ＰＬｂの自由端側に各電極部２１ａ，２１ｂが配置されている構成のため、上記した図９に示す信号読取システム１と同等の効果を奏することができる。
【０１３０】
また、上記の各信号読取システム１では、信号生成装置２Ａ，２Ｂ，２Ｃ，２Ｄが、被覆導線Ｌａ，Ｌｂの金属部（芯線）と容量結合する電極部２１ａ，２１ｂを有するプローブＰＬａ，ＰＬｂを介して被覆導線Ｌａ，Ｌｂに接続されると共に、被覆導線Ｌａ，Ｌｂに伝送されている電圧信号Ｖａ，Ｖｂの電圧Ｖａ，Ｖｂに応じて電圧が変化する各電圧信号Ｖｃ１，Ｖｃ２を生成し、この電圧信号Ｖｃ１，Ｖｃ２に基づいて、電圧信号Ｖａ，Ｖｂに対応する符号Ｃｓを特定可能な符号特定用信号Ｓｆを生成する構成（すなわち、電圧検出プローブとして機能する上記の各プローブＰＬａ，ＰＬｂを使用する構成）を採用しているが、この構成に限定されるものではない。
【０１３１】
例えば、各プローブＰＬａ，ＰＬｂに代えて、図１１に示すように、一対の電流検出プローブＰＬｃ，ＰＬｄ（被覆導線Ｌａ，Ｌｂを切断することなく、被覆導線Ｌａ，Ｌｂに装着し得るクランプ式の電流検出プローブが好ましい）を信号生成装置２Ａ，２Ｂ，２Ｃ，２Ｄに接続して、符号特定用信号Ｓｆを生成する構成を採用することもできる。公知となっている様々な電流検出プローブをこの電流検出プローブＰＬｃ，ＰＬｄとして使用することができるが、以下では、一例として、本願出願人が既に提案している特開２００６−３４３１０９号公報に開示されている電流検出プローブを使用する例を挙げて説明する。また、プローブＰＬａ，ＰＬｂを備えた上記の信号読取システム１とは、電流検出プローブＰＬｃ，ＰＬｄを備えた構成以外の構成は同一のため、説明を省略するものとする。
【０１３２】
この電流検出プローブＰＬｃ，ＰＬｄは、図１１に示すように、略円形に形成されると共に先端が開閉自在に構成されたクランプ部６１と、クランプ部６１の内部に配設されて鉄心などの磁気コアに巻線を巻き付けたコイルで構成された電流センサ（図示せず）とを備えて、同一に構成されている。この電流センサは、各クランプ部６１で対応する被覆導線（電流検出プローブＰＬｃでは被覆導線Ｌａ、電流検出プローブＰＬｄでは被覆導線Ｌｂ）を挟み込んだ状態（クランプした状態）において、対応する被覆導線を流れている電流（被覆導線Ｌａを流れている電流Ｉａと、被覆導線Ｌｂを流れている電流Ｉｂ）を検出してその電流値に振幅が比例する電流対応信号Ｖｉ（電流Ｉａについての電流対応信号Ｖｉａと、電流Ｉｂについての電流対応信号Ｖｉｂ）を検出信号として信号生成装置２Ａ，２Ｂ，２Ｃ，２Ｄに出力する。なお、この電流検出プローブＰＬｃ，ＰＬｄは、上記した構成により、ＡＣ電流検出プローブ（交流電流検出プローブ）として構成されているが、電流検出プローブＰＬｃ，ＰＬｄとして交流電流だけでなく直流電流についても測定し得るＤＣ電流検出プローブ（直流電流検出プローブ）を採用してもよいのは勿論である。
【０１３３】
被覆導線Ｌａを流れている電流Ｉａは、被覆導線Ｌａに伝送される電圧信号Ｖａの電圧Ｖａに応じてその電流値が変化することから、電流対応信号Ｖｉａは電圧信号Ｖａの電圧Ｖａに応じてその電圧値が変化する。また、被覆導線Ｌｂを流れている電流Ｉｂは、被覆導線Ｌｂに伝送される電圧信号Ｖｂの電圧Ｖｂに応じてその電流値が変化することから、電流対応信号Ｖｉｂは電圧信号Ｖｂの電圧Ｖｂに応じてその電圧値が変化する。したがって、信号生成装置２Ａ，２Ｂ，２Ｃ，２Ｄでは、電流検出プローブＰＬｃ，ＰＬｄが接続されている構成においても、第１プローブＰＬａおよび第２プローブＰＬｂが接続されている上記の構成と同様にして、第１検出部１３が第１電圧信号Ｖｄ１を出力し、第２検出部１４が第２電圧信号Ｖｄ２を出力し、信号生成部１５が各電圧信号Ｖｄ１，Ｖｄ２の差分電圧（Ｖｄ１−Ｖｄ２）に基づいて符号特定用信号Ｓｆを生成して出力することができる。
【０１３４】
したがって、図１１に示す構成（電流検出プローブＰＬｃ，ＰＬｄを備えた構成）の信号生成装置２Ａ，２Ｂ，２Ｃ，２Ｄ、およびこの信号生成装置２Ａ，２Ｂ，２Ｃ，２Ｄのうちのいずれかを備えた信号読取システム１によれば、各プローブＰＬａ，ＰＬｂを備えた上記の構成と同様にして、処理部１６は、上記の計測処理、長短特定処理および判別処理を実行したり、また上記の符号特定処理および判別処理を実行したりして、電流検出プローブＰＬｃ，ＰＬｄが誤接続状態で接続されているか否かを判別すると共にこの判別結果を出力することができる。このため、使用者は、処理部１６から出力される判別結果に基づき（上記の例では、この判別結果に応じて発光状態または非発光状態になる出力部１７を確認することにより）、各電流検出プローブＰＬｃ，ＰＬｄが被覆導線Ｌａ，Ｌｂに正しい接続状態で接続されているか、誤接続状態で接続されているかを確実に知得（認識）することができ、誤接続状態のときには、電流検出プローブＰＬｃ，ＰＬｄを入れ替えて被覆導線Ｌａ，Ｌｂに接続することで、電流検出プローブＰＬｃ，ＰＬｄを被覆導線Ｌａ，Ｌｂに正しい接続状態で確実に接続することができる。
【０１３５】
また、電流検出プローブＰＬｃ，ＰＬｄを備えた信号生成装置２Ａ，２Ｂ，２Ｃ，２Ｄ、およびこれらのうちのいずれかの信号生成装置を備えた信号読取システム１においても、第１プローブＰＬａおよび第２プローブＰＬｂを備えた構成と同様にして、電流検出プローブＰＬｃ，ＰＬｄの各クランプ部６１をシリアルバスＳＢにおける長手方向Ｗに沿って離間する任意の２つの位置（図１１に示すように、電流検出プローブＰＬｃのクランプ部６１は、ツイストされている（撚り合わされている）被覆導線Ｌａ，Ｌｂのうちの被覆導線Ｌａの第１の位置Ｐ１に、電流検出プローブＰＬｄのクランプ部６１は、シリアルバスＳＢを構成する被覆導線Ｌｂの第２の位置Ｐ２）に装着して使用することができる。このため、第１プローブＰＬａおよび第２プローブＰＬｂを備えた構成と同様の効果を奏することができる。
【符号の説明】
【０１３６】
１  信号読取システム
２Ａ，２Ｂ，２Ｃ，２Ｄ  信号生成装置
１３  第１検出部
１４  第２検出部
１５  信号生成部
１６  処理部
１７  出力部
Ｌａ，Ｌｂ  被覆導線
ＰＬａ，ＰＬｂ  プローブ
Ｓａ  ロジック信号
Ｓｆ  符号特定用信号
Ｖａ，Ｖｂ  電圧（信号線に伝送される電圧）
Ｖｄ１  第１電圧信号
Ｖｄ２  第２電圧信号
【図１】
2020025256.tif 000003
【図２】
2020025256.tif 000004
【図３】
2020025256.tif 000005
【図４】
2020025256.tif 000006
【図５】
2020025256.tif 000007
【図６】
2020025256.tif 000008
【図７】
2020025256.tif 000009
【図８】
2020025256.tif 000010
【図９】
2020025256.tif 000011
【図１０】
2020025256.tif 000012
【図１１】
2020025256.tif 000013